(57)【要約】本発明に係る有機ＥＬ発光装置は、第一基板、有機ＥＬ素子、第二基板、シール材を備える。第一基板、第二基板、及びシール材によって囲まれる空間内に、保護層と、吸湿部と、透湿部と、接触抑制部とを備える。吸湿部は、空間内における水分を吸収する。透湿部は、吸湿部に接触し、空間内における水分を透過させる。
2014091767.tif 000002
【特許請求の範囲】
【請求項１】
第一基板と、
前記第一基板上に設けられた有機ＥＬ素子と、
前記第一基板と前記有機ＥＬ素子を介して対向配置された第二基板と、
前記有機ＥＬ素子を取り囲むように前記第一基板と前記第二基板との間に設けられるシール材とを備え、
前記第一基板、前記第二基板、及び前記シール材によって囲まれる空間内に、
前記有機ＥＬ素子を被覆する保護層と、
前記空間内における水分を吸収するように構成された吸湿部と、
前記吸湿部に接触し、前記空間内における水分を透過させるように構成された透湿部と、
前記有機ＥＬ素子と前記第二基板との接触を抑制するように構成された接触抑制部とを備えることを特徴とする有機ＥＬ発光装置。
【請求項２】
前記空間内に配置されている充填層を備え、
前記充填層が、前記接触抑制部と、前記透湿部とを備え、
前記透湿部が、前記シール材に臨む露出面を有し、且つ前記透湿部が、前記露出面から前記充填層の内部に亘って形成されていることを特徴とする請求項１に記載の有機ＥＬ発光装置。
【請求項３】
前記透湿部が、前記露出面を複数有することを特徴とする請求項２に記載の有機ＥＬ発光装置。
【請求項４】
前記透湿部が、前記充填層に形成された空隙から成ることを特徴とする請求項２又は３に記載の有機ＥＬ発光装置。
【請求項５】
前記透湿部が、透湿性を有する部材から形成されていることを特徴とする請求項２又は３に記載の有機ＥＬ発光装置。
【請求項６】
前記透湿部内に、前記吸湿部が配置されていることを特徴とする請求項２乃至５のいずれか一項に記載の有機ＥＬ発光装置。
【請求項７】
前記接触抑制部が、吸湿材を含有し、前記接触抑制部が、前記吸湿部を兼ねることを特徴とする請求項２乃至６のいずれか一項に記載の有機ＥＬ発光装置。
【請求項８】
前記充填層が、平面視において、前記透湿部を海、前記接触抑制部を島とする、海島構造を有することを特徴とする請求項２乃至７のいずれか一項に記載の有機ＥＬ発光装置。
【請求項９】
前記保護層の厚みが、前記有機ＥＬ素子の平面視における中心側から外縁側へ向かうほど大きくなることを特徴とする請求項１乃至８のいずれか一項に記載の有機ＥＬ発光装置。
【請求項１０】
前記保護層が、吸湿材を含有し、前記保護層が、前記吸湿部を兼ねることを特徴とする請求項１乃至９のいずれか一項に記載の有機ＥＬ発光装置。
【請求項１１】
前記吸湿部が、吸湿性を有する粉末により形成されていることを特徴とする請求項１に記載の有機ＥＬ発光装置。
【請求項１２】
前記吸湿部が、吸湿性を有する固形状の部材により形成されていることを特徴とする請求項１に記載の有機ＥＬ発光装置。
【請求項１３】
前記透湿部が、前記空間内に形成された中空部分から構成されていることを特徴とする請求項１、１１又は１２に記載の有機ＥＬ発光装置。
【請求項１４】
前記透湿部が、透湿性を有する部材により形成されていることを特徴とする請求項１、１１、１２又は１３に記載の有機ＥＬ発光装置。
【請求項１５】
前記吸湿部が前記透湿部で被覆され、前記透湿部を被覆する無機質膜を更に備えることを特徴とする請求項１４に記載の有機ＥＬ発光装置。
【請求項１６】
前記接触抑制部は、前記シール材と同じ材料で形成されていることを特徴とする請求項１乃至１５のいずれか一項に記載の有機ＥＬ発光装置。
【請求項１７】
前記有機ＥＬ素子が、前記第二基板と対向する電極を備え、
前記接触抑制部が、導電性を有し、前記接触抑制部が、前記電極と接触している請求項１乃至１６のいずれか一項に記載の有機ＥＬ発光装置。
【請求項１８】
前記第二基板の前記第一基板に対向する面上に、導電層が設けられ、前記接触抑制部が前記導電層に接触することで、前記接触抑制部が前記電極と前記導電層とを電気的に接続していることを特徴とする請求項１７に記載の有機ＥＬ発光装置。
【請求項１９】
請求項１乃至１８のいずれか一項に記載の有機ＥＬ発光装置と、この有機ＥＬ発光装置を保持する器具本体とを備えることを特徴とする照明器具。
【発明の詳細な説明】
【技術分野】
【０００１】
本発明は、有機エレクトロルミネッセンス素子（以下、有機ＥＬ素子という）を備える有機ＥＬ発光装置、及びこの有機ＥＬ発光装置を備える照明装置に関する。
【背景技術】
【０００２】
有機ＥＬ発光装置は、基板上に、電極と有機層とを積層して形成される有機ＥＬ素子を設けることで構成されている。この有機ＥＬ素子は、水蒸気などの水分が存在すると発光特性が劣化し、長時間動作をさせると、水分によって劣化した場所が発光しなくなる。このような非発光部分は、ダークスポットと呼ばれ、このダークスポットは時間の経過とともに成長する。そこで、ダークスポットの発生や成長を抑制するため、種々の方法によって有機ＥＬ発光装置内への水分の浸入を抑制し、あるいは、浸入した水分を除去することが行われている。【０００３】
例えば、特許文献１では、図１３に示すように、第一基板２００上に有機ＥＬ素子４００を設け、この有機ＥＬ素子４００の全面を覆うように耐湿性を有する樹脂組成物５００を積層した後、平板状の第二基板３００を貼りあわせることで有機ＥＬ発光装置１００を形成している。そして、有機ＥＬ発光装置１００内に充填された樹脂組成物５００により、外部からの水分の浸入を抑制している。しかし、この場合、水分の浸入を完全に遮断することは難しく、樹脂組成物５００内に浸入した水分が有機ＥＬ素子４００にまで到達し、有機ＥＬ素子４００の寿命を短くさせる問題があった。【０００４】
そこで、樹脂組成物の充填に加えて、金属酸化物などで形成された無機封止膜で有機ＥＬ素子を被覆して、この無機封止膜によって水分の浸入を抑制することも行われている。
【先行技術文献】
【特許文献】
【０００５】
【特許文献１】特開平５−１８２７５９号公報
【発明の概要】
【発明が解決しようとする課題】
【０００６】
しかし、無機封止膜は、剥がれやクラック発生といった不具合を生じやすく、この剥がれやクラック等の欠陥部分から水分が集中的に浸入してしまうという問題がある。【０００７】
本発明は上記の点に鑑みてなされたものであり、有機ＥＬ素子への水分の浸入を遮断する効果が高く、長期間に亘って安定した発光特性を維持することができる有機ＥＬ発光装置、及びこの有機ＥＬ発光装置を備える照明装置を提供することを目的とするものである。
【課題を解決するための手段】
【０００８】
本発明に係る有機ＥＬ発光装置の第１の特徴は、
第一基板と、
前記第一基板上に設けられた有機ＥＬ素子と、
前記第一基板と前記有機ＥＬ素子を介して対向配置された第二基板と、
前記有機ＥＬ素子を取り囲むように前記第一基板と前記第二基板との間に設けられるシール材とを備える有機ＥＬ発光装置であって、
前記第一基板、前記第二基板、及び前記シール材によって囲まれる空間内に、
前記有機ＥＬ素子の全外表面を被覆する保護層と、
前記空間内における水分を吸収するように構成された吸湿部と、
前記吸湿部に接触し、前記空間内における水分を透過させるように構成された透湿部と、
前記有機ＥＬ素子と前記第二基板との接触を抑制するように構成された接触抑制部とを備えることにある。【０００９】
本発明に係る有機ＥＬ発光装置の第２の特徴は、第１の特徴に加えて、
前記空間内に配置されている充填層を備え、
前記充填層が、前記接触抑制部と、前記透湿部とを備え、
前記透湿部が、前記シール材に臨む露出面を有し、且つ前記透湿部が、前記露出面から前記充填層の内部に亘って形成されていることにある。【００１０】
本発明に係る有機ＥＬ発光装置の第３の特徴は、第２の特徴に加えて、前記透湿部が、前記露出面を複数有することにある。【００１１】
本発明に係る有機ＥＬ発光装置の第４の特徴は、第２又は第３の特徴に加えて、前記透湿部が、前記充填層に形成された空隙から成ることにある。【００１２】
本発明に係る有機ＥＬ発光装置の第５の特徴は、第２又は第３の特徴に加えて、前記透湿部が、透湿性を有する部材から形成されていることにある。【００１３】
本発明に係る有機ＥＬ発光装置の第６の特徴は、第２乃至第５の特徴のうちいずれか一の特徴に加えて、前記透湿部内に、前記吸湿部が配置されていることにある。【００１４】
本発明に係る有機ＥＬ発光装置の第７の特徴は、第２乃至第６の特徴のうちいずれか一の特徴に加えて、前記接触抑制部が、吸湿材を含有し、前記接触抑制部が、前記吸湿部を兼ねることにある。【００１５】
本発明に係る有機ＥＬ発光装置の第８の特徴は、第２乃至第７の特徴のうちいずれか一の特徴に加えて、前記充填層が、平面視において、前記透湿部を海、前記接触抑制部を島とする、海島構造を有することにある。【００１６】
本発明に係る有機ＥＬ発光装置の第９の特徴は、第１乃至第８の特徴のうちいずれか一の特徴に加えて、前記保護層の厚みが、前記有機ＥＬ素子の平面視における中心側から外縁側へ向かうほど大きくなることを特徴とする。【００１７】
本発明に係る有機ＥＬ発光装置の第１０の特徴は、第１乃至第９の特徴のうちいずれか一の特徴に加えて、前記保護層が、吸湿材を含有し、前記保護層が、前記吸湿部を兼ねることにある。【００１８】
本発明に係る有機ＥＬ発光装置の第１１の特徴は、第１の特徴に加えて、前記吸湿部が、吸湿性を有する粉末状の部材により形成されていることにある。【００１９】
本発明に係る有機ＥＬ発光装置の第１２の特徴は、第１の特徴に加えて、前記吸湿部が、吸湿性を有する固形状の部材により形成されていることにある。【００２０】
本発明に係る有機ＥＬ発光装置の第１３の特徴は、第１、１１又は１２の特徴に加えて、前記透湿部が、前記空間内に形成された中空部分から構成されていることにある。【００２１】
本発明に係る有機ＥＬ発光装置の第１４の特徴は、第１、１１、１２又は１３の特徴に加えて、前記透湿部が、透湿性を有する部材により形成されていることにある。【００２２】
本発明に係る有機ＥＬ発光装置の第１５の特徴は、第１４の特徴に加えて、前記吸湿部が前記透湿部で被覆され、前記透湿部を被覆する無機質膜を更に備えることにある。【００２３】
本発明に係る有機ＥＬ発光装置の第１６の特徴は、第１乃至第１５の特徴のうちいずれか一の特徴に加えて、前記接触抑制部は、前記シール材と同じ材料で形成されていることにある。【００２４】
本発明に係る有機ＥＬ発光装置の第１７の特徴は、第１乃至第１６の特徴のうちいずれか一の特徴に加えて、前記有機ＥＬ素子が、前記第二基板と対向する電極を備え、前記接触抑制部が、導電性を有し、前記接触抑制部が、前記電極と接触していることにある。【００２５】
本発明に係る有機ＥＬ発光装置の第１８の特徴は、第１７の特徴に加えて、前記第二基板の前記第一基板に対向する面上に、導電層が設けられ、前記接触抑制部が前記導電層に接触することで、前記接触抑制部が前記電極と前記導電層とを電気的に接続していることにある。【００２６】
本発明に係る有機ＥＬ発光装置の第１９の特徴は、第１乃至第１８の特徴のうちいずれか一の特徴に加えて、前記有機ＥＬ素子と前記保護層との間に、前記有機ＥＬ素子を覆う無機質膜が介在していることにある。【００２７】
本発明に係る照明器具は、第１乃至第１９の特徴のうちいずれか一の特徴を備える有機ＥＬ発光装置と、この有機ＥＬ発光装置を保持する器具本体とを備えることを特徴とする。
【発明の効果】
【００２８】
本発明の有機ＥＬ発光装置では、第一基板、第二基板、及びシール材によって囲まれる空間内に水分が浸入しても、吸湿部で水分が吸収される。このため、有機ＥＬ素子への水分の浸入を遮断する効果を向上させることができる。更に、空間内に設けた透湿部で水分を拡散させて、水分の一方向からの集中的な浸入を抑制する。これにより、水分の吸収を吸湿部全体で一様に行わせることができる。この結果、吸湿部で水分が効率良く吸収され、有機ＥＬ素子への水分の浸入を遮断する効果を更に向上させることができる。
【図面の簡単な説明】
【００２９】
【図１】本発明の第一の実施形態に係る有機ＥＬ発光装置の構成を示す断面図である。
【図２】本発明の第二の実施形態に係る有機ＥＬ発光装置の構成を示す断面図である。
【図３】図３（ａ）は本発明の第三の実施形態に係る有機ＥＬ発光装置の構成を示す断面図であり、図３（ｂ）は前記第三の実施形態に係る有機ＥＬ発光装置の変形例の構成を示す断面図である。
【図４】図４（ａ）は本発明の第四の実施形態に係る有機ＥＬ発光装置の構成を示す断面図であり、図４（ｂ）は前記第四の実施形態に係る有機ＥＬ発光装置の変形例の構成を示す断面図である。
【図５】図５（ａ）は本発明の第五の実施形態に係る有機ＥＬ発光装置の構成を示す断面図であり、図５（ｂ）は前記第五の実施形態に係る有機ＥＬ発光装置の変形例の構成を示す断面図である。
【図６】図６（ａ）は本発明の第六の実施形態に係る有機ＥＬ発光装置を示す断面図であり、図６（ｂ）は前記第六の実施形態に係る有機ＥＬ発光装置の変形例の構成を示す断面図である。
【図７】前記第六の実施形態に係る有機ＥＬ発光装置を示す、図６（ａ）とは異なる断面図である。
【図８】前記第六の実施形態に係る有機ＥＬ発光装置の第一の変形例を示す断面図である。
【図９】前記第六の実施形態に係る有機ＥＬ発光装置の第二の変形例を示す断面図である。
【図１０】前記第六の実施形態に係る有機ＥＬ発光装置の第三の変形例を示す断面図である。
【図１１】前記第六の実施形態に係る有機ＥＬ発光装置を示す、一部の断面図である。
【図１２】本発明の実施形態に係る照明装置を示す断面図である。
【図１３】従来技術を示す断面図である。
【発明を実施するための形態】
【００３０】
本実施形態に係る有機ＥＬ発光装置１ａは、第一基板２ａ、有機エレクトロルミネッセンス素子４ａ（有機発光ダイオード；以下、有機ＥＬ素子４ａという）、第二基板３ａ、及びシール材５ａを備える。有機ＥＬ素子４ａは、第一基板２ａ上に設けられている。第二基板３ａは、第一基板２ａと有機ＥＬ素子４ａを介して対向配置されている。シール材５ａは、有機ＥＬ素子４ａを取り囲むように第一基板２ａと第二基板３ａとの間に設けられている。更に、有機ＥＬ発光装置１ａは、第一基板２ａ、第二基板３ａ、及びシール材５ａによって囲まれる空間１１ａ内に、保護層４０ａと、吸湿部１０ａと、透湿部２０ａと、接触抑制部３０ａとを備える。保護層４０ａは、有機ＥＬ素子４ａの全外表面を被覆する。吸湿部１０ａは、空間Ｓ内における水分を吸収するように構成されている。透湿部２０ａは、吸湿部１０ａに接触し、空間１１ａ内における水蒸気を透過させるように構成されている。接触抑制部３０ａは、有機ＥＬ素子４ａと第二基板３ａとの接触を抑制するように構成されている。尚、空間１１ａとは、第一基板２ａ、第二基板３ａ、及びシール材５ａによって囲まれる立体的な領域であり、この空間１１ａの一部又は全部が、種々の部材及び気体で占められていてもよい。
【００３１】
本実施形態による有機ＥＬ発光装置１ａでは、第一基板２ａ、第二基板３ａ、及びシール材５ａによって囲まれる空間１１ａ内に水蒸気が浸入しても、吸湿部１０ａで水蒸気が吸収される。このため、有機ＥＬ素子４ａへの水分の浸入を遮断する効果を向上させることができる。更に、空間１１ａ内に設けた透湿部２０ａで水蒸気を拡散させて、水蒸気の一方向からの集中的な浸入を抑制する。これにより、水蒸気の吸収を吸湿部１０ａ全体で一様に行わせることができる。この結果、吸湿部１０ａで水蒸気が効率良く吸収され、有機ＥＬ素子４ａへの水分の浸入を遮断する効果を更に向上させることができる。
【００３２】
本実施形態では、吸湿部１０ａが、吸湿性を有する粉末吸湿部材により形成されていてもよい。
【００３３】
この場合、粉末吸湿部材を構成する粉末粒子の表面積を任意の大きさにすることができるため、吸湿能力の優れた吸湿部１０ａが形成しやすくなる。また、粉末吸湿部材を不活性ガス雰囲気下又は真空中にて活性化処理すると、粉末吸湿部材の水蒸気の吸湿速度が向上する。このため、吸湿部１０ａを粉末吸湿部材で形成することにより、水蒸気の吸収効率を向上させることができる。
【００３４】
本実施形態では、吸湿部１０ａが、吸湿性を有する固形吸湿部材６ａにより形成されていることが好ましい。
【００３５】
この場合、固形吸湿部材６ａによって有機ＥＬ素子４ａ全体を均一に、且つ精度よく覆うことができる。
【００３６】
本実施形態では、透湿部２０ａが、空間１１ａ内に形成された中空部分８ａから構成されていることが好ましい。
【００３７】
この場合、シール材５ａから浸入した水蒸気を空間１１ａ内で均一に拡散させることができる。
【００３８】
本実施形態では、透湿部２０ａが、透湿性を有する透湿部材９により形成されていることが好ましい。
【００３９】
この場合、有機ＥＬ発光装置１ａ全体の強度が増すため、外力が加わるなどしても第二基板３ａがたわみにくくなる。これにより、有機ＥＬ素子４ａと第二基板３ａとが接触するのを抑制することができ、有機ＥＬ素子４ａの破損を抑制することができる。
【００４０】
本実施形態では、吸湿部１０ａの全外表面が透湿部２０ａで被覆され、透湿部２０ａの全外表面を被覆する無機質膜を更に備えることが好ましい。尚、この場合は透湿部２０ａが固体状であることが好ましい。
【００４１】
この場合、透湿部２０ａの上に更に無機質膜を積層して設けるため、無機質膜によって、第一基板２ａ、第二基板３ａ、及びシール材５ａによって囲まれる空間１１ａ内に水蒸気が浸入しにくくなる。このため、有機ＥＬ素子４ａへの水分の浸入を遮断する効果を更に向上させることができる。
【００４２】
本実施形態では、有機ＥＬ素子４ａと保護層４０ａとの間に、有機ＥＬ素子４ａを覆う無機質膜５１ａが介在することも好ましい。この場合、有機ＥＬ素子４ａへの水分の浸入が更に鈍化され、封止性能が向上する。
【００４３】
本実施形態では、接触抑制部３０ａは、シール材５ａと同じ材料で形成されていることが好ましい。
【００４４】
この場合、第一基板２ａ、第二基板３ａ、及びシール材５ａによって囲まれる空間１１ａ内に、耐透湿性が高い材料で形成された接触抑制部３０ａが設けられるため、有機ＥＬ素子４ａへの水分の浸入を遮断する効果を更に向上させることができる。
【００４５】
以下、本発明の更に具体的な実施形態について説明する。
【００４６】
図１に、第一の実施形態に係る有機ＥＬ発光装置１ａを示す。
【００４７】
本実施形態では、第一基板２ａは平面視矩形状の板状に形成される。尚、平面視とは、有機ＥＬ発光装置１ａを、第一基板２ａと第二基板３ａとが対向する方向に視ることをいう。
【００４８】
第一基板２ａは、透光性を有することが好ましい。第一基板２ａは、無色であっても、着色されていてもよい。第一基板２ａは、透明であっても半透明であってもよい。第一基板２ａの材料は、有機ＥＬ素子４ａなどを支持することができる強度、光透過性等を有する公知の材料であってよい。第一基板２ａとしては、例えば、ガラス基板、プラスチック基板、金属基板等が挙げられる。ガラス基板としては、例えば、ソーダライムガラス基板、無アルカリガラス基板などが挙げられる。また、プラスチック基板としては、例えば、ポリエチレンテレフタラート（ＰＥＴ）基板、ポリエチレンナフタレート（ＰＥＮ）基板などが挙げられる。また、金属基板としては、例えば、アルミニウム、ステンレス等の金属から成る基板が挙げられる。
【００４９】
有機ＥＬ素子４ａは、第一基板２ａ上に設けられる。尚、「第一基板２ａ上に設けられる」ということには、有機ＥＬ素子４ａが第一基板２ａ上に直接接触する場合だけでなく、有機ＥＬ素子４ａと第一基板２ａとの間に、光取り出し層等の適宜の層が介在する場合も含まれる。光取り出し層とは、有機ＥＬ素子４ａから発せられる光を有機ＥＬ発光装置１ａの外部へ取り出す際の光取り出し量を増大させるための層である。光取り出し層としては、例えば第一基板２ａよりも屈折率の高い樹脂又はガラスから形成される層、光散乱性粒子を含有する樹脂から形成される層などが、挙げられる。
【００５０】
有機ＥＬ素子４ａは、第一基板２ａ上に積層される第一電極１５ａと、この第一電極１５ａと対向して配置される第二電極１６ａと、第一電極１５ａと第二電極１６ａとの間に介在する有機層とを備える。第一電極１５ａは陽極として機能し、第二電極１６ａは陰極として機能する。尚、第一電極１５ａが陰極として機能し、第二電極１６ａが陽極として機能してもよい。
【００５１】
第一電極１５ａは、光透過性を有することが好ましい。この場合、有機層から発せられる光を第一電極１５ａを介して外部に取り出すことができる。第一電極１５ａの材料としては、仕事関数の大きい金属、合金、電気伝導性化合物、あるいはこれらの混合物からなる電極材料が挙げられる。このような第一電極１５ａの材料としては、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＡＺＯ（Ａｌ−ｄｏｐｅ  ＺｎＯ）、ＧＺＯ（Ｇａ−ｄｏｐｅ  ＺｎＯ）、銀、マグネシウム、アルミニウム、グラフェン、カーボンナノチューブ、及びこれらのうち二種以上の物質を含む積層膜が、挙げられる。
【００５２】
第二電極１６ａは、光反射性を有することが好ましい。この場合、有機層から第二電極１６ａへ向かう光をこの第二電極１６ａにより反射させて、第一電極１５ａを介して外部に取り出すことができる。第二電極１６ａの材料としては、仕事関数の小さい金属、合金、電気伝導性化合物及びこれらの混合物からなる電極材料が挙げられる。このような第二電極１６ａの材料としては、例えば、銀、ナトリウム、リチウム、マグネシウム、アルミニウム、これらのうち二種以上の金属を含む合金、及びこれらのうち二種以上の金属を含む積層膜が挙げられる。
【００５３】
尚、第一電極１５ａが光反射性を有する電極であり、第二電極１６ａが光透過性を有する電極であってもよい。また、第一電極１５ａと第二電極１６ａのいずれもが光透過性を有する電極であってもよい。
【００５４】
有機層は、第一電極１５ａと第二電極１６ａとの間に形成される。有機層は、有機発光層１７ａを含む。第一電極１５ａが正孔注入電極（陽極）、第二電極１６ａが電子注入層（陰極）である場合には、有機層は、例えば正孔輸送層、有機発光層１７ａ、電子輸送層が、この順に積層している積層構造を有する。尚、正孔輸送層、電子輸送層のうち、どちらかの層が無くてもよいし、両方の層が無くてもよい。
【００５５】
正孔輸送層としては、正孔移動度が高い機能を有していればよく、その材料としては従来公知の化合物の中から任意のものを選択して用いることができる。正孔輸送層の材料としては、例えば、銅フタロシアニン等のポルフィリン化合物、４，４’−ビス［Ｎ−（ナフチル）−Ｎ−フェニル−アミノ］ビフェニル（ＮＰＢ）等の芳香族第三アミンなどが挙げられる。
【００５６】
有機発光層１７ａの材料としては、例えば、４，４’−ビス（２，２’−ジフェニルビニル）−ビフェニル（ＤＰＶＢｉ）等の芳香族ジメチリディン化合物、１，４−ビス（２−メチルスチリル）ベンゼン等のスチリルベンゼン化合物、３−（４−ビフェニル）−４−フェニル−５−ｔ−ブチルフェニル−１，２，４−トリアゾール（ＴＡＺ）等のトリアゾール誘導体などが挙げられる。
【００５７】
電子輸送層は、電子注入層（陰極）より注入された電子を有機発光層１７ａに伝達する機能を有していればよい。電子輸送層の材料は、従来公知の化合物の中から選択されうる。電子輸送層の材料としては、例えば、トリス（８−ヒドロキシキノリナート）アルミニウム等の金属錯体化合物、２，５−ビス（１−フェニル）−１，３，４−オキサゾール等の含窒素五員環誘導体などが挙げられる。
【００５８】
第二基板３ａは、第一基板２ａと、有機ＥＬ素子４ａを介して対向配置される。第二基板３ａは、例えば第一基板２ａと同形状に形成された透明な板状部材であり、板厚が均一で、表面平滑性を有する。第二基板３ａの材料としては、ソーダライムガラス、無アルカリガラス等のガラス材、アルミニウム、ステンレス等の金属材、ポリエチレンテレフタラート（ＰＥＴ）、ポリエチレンナフタレート（ＰＥＮ）等の樹脂材料などが挙げられる。第二基板３ａが樹脂材料で形成される場合は、この第二基板３ａの表面にＳｉＯＮ膜、ＳｉＮ膜などを成膜して水分の透過を抑えるようにしてもよい。
【００５９】
シール材５ａは、有機ＥＬ素子４ａを取り囲むように第一基板２ａと第二基板３ａとの間に設けられる。シール材５ａは、有機ＥＬ発光装置１ａの外部（外気）に存在する水分が、有機ＥＬ発光装置１ａの内部に浸入するのを抑制する部材である。このシール材５ａの材料は、ＪＩＳ  Ｚ０２０８に規定された防湿包装材料の透湿度試験方法（カップ法）において、水分の透過率が６０ｇ／ｍ２・２４ｈｏｕｒ以下の材料であることが好ましい。これにより、外気に存在する水分が、有機ＥＬ発光装置１ａの内部に浸入するのを効果的に抑制することができる。シール材５ａの材料としては、例えば、エポキシ樹脂や、アクリル樹脂などの樹脂材料、パラフィンワックスや、マイクロクリスタリンワックスなどのワックス材料等が挙げられる。また、シール材５ａには、アルミナなどの無機フィラーや、酸化カルシウム、酸化ストロンチウム、酸化バリウム、シリカなどの吸湿剤が配合されていてもよい。また、シール材５ａの材料としては、ガラスフリットなどのフリット材を用いてもよい。シール材５ａの厚みは、３００μｍ以下であることが好ましい。シール材５ａの厚みが３００μｍ以下の場合は、有機ＥＬ発光装置１ａ内への水分の浸入を効果的に抑制することができる。また、シール材５ａの幅は、０．１ｍｍ以上であることが好ましい。シール材５ａの幅が０．１ｍｍ以上の場合は、有機ＥＬ発光装置１ａ内への水分の浸入を効果的に抑制することができる。シール材５ａを形成する方法としては、公知の方法を使用することができ、例えば、ディスペンス法、印刷法、インクジェット法などが挙げられる。
【００６０】
本実施形態では、有機ＥＬ発光装置１ａは、第一基板２ａ、第二基板３ａ、及びシール材５ａによって囲まれる空間１１ａ内に、保護層４０ａと、吸湿部１０ａと、透湿部２０ａと、接触抑制部３０ａとを備える。
【００６１】
保護層４０ａは、有機ＥＬ素子４ａの全外表面を被覆し、有機ＥＬ素子４ａと吸湿部１０ａとの接触を抑制するための部材である。保護層４０ａの材料としては、有機ＥＬ素子４ａに悪影響を及ぼしてその特性を劣化させるような材料でなければ、特に限定はされない。保護層４０ａの材料としては、例えば、エポキシ樹脂などが挙げられる。保護層４０ａの厚みは、有機ＥＬ素子４ａと吸湿部１０ａとの接触を抑制することができるのであれば、適宜の厚みであってよい。保護層４０ａを形成する方法としては、公知の方法を使用することができ、例えば、スピンコート法、ディップ法、スプレー法などが挙げられる。
【００６２】
吸湿部１０ａは、空間１１ａ内における水分を吸収するように構成された部材である。本実施形態では、図１に示すように、吸湿部１０ａが、吸湿性を有する固形状の部材６ａ（以下、固形吸湿部材６ａという）により形成されている。尚、固形吸湿部材６ａとは、水蒸気などの水分が吸着しやすい材料から成る固形状の部材のことをいう。固形吸湿部材６ａは、例えば、エポキシ系樹脂、アクリル系樹脂、シリコーン系樹脂などから成る光硬化性樹脂に、吸湿剤を含有させることで作製される。吸湿剤は、水分を化学的に吸着させる性質を有してもよいし、水分を物理的に吸着させる性質を有していてもよい。吸湿剤は、例えば、酸化カルシウム、酸化ストロンチウム、酸化バリウム、酸化ナトリウム、酸化カリウム、硫酸ナトリウム、硫酸カルシウムなどのアルカリ金属及びアルカリ土類金属、並びにゼオライトから、選択される。固形吸湿部材６ａ全体に対する吸湿剤の割合が、３０質量％以上９５質量％未満であることが好ましい。吸湿剤の割合が３０質量％以上であることで、空間１１ａ内に水分が浸入した場合、固形吸湿部材６ａが水分を効果的に吸収することができる。また、吸湿剤の割合が９５質量％以上の場合は、空間１１ａ内に吸湿部１０ａを形成する際の作業性が悪くなる。吸湿部１０ａの厚みは、空間１１ａ内に浸入した水分を吸湿部１０ａが吸収することができるのであれば、特に限定はされない。固形吸湿部材６ａによって吸湿部１０ａを形成する方法としては、公知の方法を使用することができ、例えば、ディスペンス法、印刷法、スパッタ法などが挙げられる。
【００６３】
透湿部２０ａは、吸湿部１０ａに接触し、空間１１ａ内における水分を透過させるための部材である。本実施形態では、透湿部２０ａが吸湿部１０ａの上に直接設けられ、平面視において吸湿部１０ａの全体が透湿部２０ａと重なっている。本実施形態では、図１に示すように、透湿部２０ａが、空間１１ａ内に形成された中空部分８ａから構成されている。中空部分８ａには、気体を封入することが好ましい。この場合、空間１１ａ内をドライ雰囲気に保つことができる。中空部分８ａに封入する気体としては、例えば、露点−７０℃程度の窒素、ヘリウム、ネオン、アルゴン等の不活性ガスなどが挙げられる。
【００６４】
接触抑制部３０ａは、有機ＥＬ素子４ａと第二基板３ａとの接触を抑制するように構成された部材である。有機ＥＬ素子４ａと第二基板３ａとが接触するのを抑制することには、有機ＥＬ素子４ａと第二基板３ａとが直接接触することを抑制することのほか、有機ＥＬ素子４ａを覆う層と第二基板３ａとが接触することを抑制することも、含まれる。すなわち、本実施形態では、接触抑制部３０ａは、有機ＥＬ素子４ａを覆う吸湿部１０ａと第二基板３ａとの接触を抑制するように構成されている。
【００６５】
本実施形態では、接触抑制部３０ａは、シール材５ａと同じ材料で形成されていることが好ましい。すなわち、接触抑制部３０ａは、耐透湿性が高い材料で形成されていることが好ましい。また、第二電極１６ａが光透過性の電極であり、有機発光層１７ａが発する光が第二電極１６ａを通過して外部へ出射する場合には、接触抑制部３０ａは、光透過性を有することが好ましい。この場合、有機ＥＬ素子４ａから発せられる光を減衰させることなく外部に取り出すことができる。接触抑制部３０ａの材料としては、エポキシ樹脂、アクリル樹脂などの樹脂材料が挙げられる。また、接触抑制部３０ａは、アルミナなどの無機フィラー；酸化カルシウム、酸化ストロンチウム、酸化バリウム、シリカなどの吸湿剤等を、含有していてもよい。接触抑制部３０ａの形状は、有機ＥＬ素子４ａと第二基板３ａとの接触を抑制することができる形状であり、且つ有機ＥＬ素子４ａに悪影響を及ぼしてその特性を劣化させるような形状でなければ、特に限定はされない。接触抑制部３０ａの形状は、例えば、円柱形状又は円錐形状である。接触抑制部３０ａの位置は、特に限定されないが、有機ＥＬ素子４ａ上であることが好ましい。この場合、外力が加わるなどして第二基板３ａがたわんでも、有機ＥＬ素子４ａと第二基板３ａとが接触するのを抑制することができる。また、接触抑制部３０ａの数は、特に限定されず、適宜の数を選択することができる。接触抑制部３０ａを形成する方法としては、公知の方法を使用することができ、例えば、ディスペンス法、印刷法、インクジェット法などが挙げられる。
【００６６】
本実施形態では、有機ＥＬ素子４ａと保護層４０ａとの間に、有機ＥＬ素子４ａを覆う無機質膜５１ａが介在している。このため、有機ＥＬ素子４ａへの水分の浸入が更に鈍化され、封止性能が向上する。
【００６７】
無機質膜５１ａは、耐透湿性が高く、水蒸気などの水分に対して安定な材料から形成されることが好ましい。無機質膜５１ａの材料は、例えば、窒化珪素、酸化珪素、酸窒化珪素、炭化珪素などの珪素系化合物、酸化アルミニウム、窒化アルミニウム、珪酸アルミニウムなどのアルミニウム系化合物；酸化ジルコニウム；酸化タンタル；酸化チタン；及び窒化チタンからなる群から選択される一種以上の材料を含むことができる。無機質膜５１ａの厚みは、有機ＥＬ素子４ａの全外表面を被覆することができる程度であればよい。無機質膜５１ａを形成する方法としては、例えば、プラズマＣＶＤ法、スパッタ法、イオンプレーティング法などが挙げられる。
【００６８】
尚、有機ＥＬ発光装置１ａが無機質膜５１ａを備えず、保護層４０ａが有機ＥＬ素子４ａを直接被覆していてもよい。
【００６９】
本実施形態に係る有機ＥＬ発光装置１ａを製造する場合には、例えば、まず第一基板２ａ上に、第一電極１５ａ（陽極）と正孔輸送層と有機発光層１７ａと電子輸送層と第二電極１６ａ（陰極）とを形成し、有機ＥＬ素子４ａを設ける。そして、この有機ＥＬ素子４ａを設けた第一基板２ａを、露点−７０℃の窒素循環型グローブボックス等の不活性ガス雰囲気下に移し、このグローブボックス内で以下の作業を実施する。
【００７０】
まず、第一基板２ａ上に設けられた有機ＥＬ素子４ａと第二基板３ａとを対向するように配置する。
【００７１】
次に、例えばプラズマＣＶＤ法などで有機ＥＬ素子４ａの全外表面を覆うように、無機質膜５１ａを形成する。
次に、無機質膜５１ａの全外表面を覆うように保護層４０ａを形成する。尚、有機ＥＬ発光装置１ａが無機質膜５１ａを備えない場合には、有機ＥＬ素子４ａの全外表面を覆うように保護層４０ａを形成する。そして、固形吸湿部材６ａを保護層４０ａの全外表面を覆うように塗布し、吸湿部１０ａを形成する。更に、吸湿部１０ａ上には、適宜の数の接触抑制部３０ａを形成する。そして、第一基板２ａの外周部にシール材５ａを、有機ＥＬ素子４ａと接触しないように配置する。この状態で、第一基板２ａと第二基板３ａとを、接触抑制部３０ａが第二基板３ａに突き当たるまで近づける。更に、接触抑制部３０ａを第二基板３ａに接合する。そして、約１００００Ｐａの圧力条件で、第一基板２ａと第二基板３ａとをシール材５ａを介して接合する。これにより、有機ＥＬ発光装置１ａを得る。
【００７２】
このように、本実施形態では、有機ＥＬ発光装置１ａが、第一基板２ａ、第二基板３ａ、及びシール材５ａによって囲まれる空間１１ａ内に、吸湿性を有する固形吸湿部材６ａにより形成される吸湿部１０ａを備える。このため、空間１１ａ内に水分が浸入しても、吸湿部１０ａが水分を吸収する。このため、有機ＥＬ素子４ａへの水分の浸入を遮断する効果を向上させることができる。
【００７３】
また、本実施形態では、有機ＥＬ発光装置１ａが、空間１１ａ内に形成された中空部分８ａから構成される透湿部２０ａを備える。この場合、空間１１ａ内に水分が浸入しても、透湿部２０ａで水分が拡散されて、水分の一方向からの集中的な浸入が抑制される。これにより、水分の吸収を吸湿部１０ａ全体で一様に行わせることができる。この結果、吸湿部１０ａで水分が効率良く吸収され、有機ＥＬ素子４ａへの水分の浸入を遮断する効果を更に向上させることができる。
【００７４】
また、接触抑制部３０ａが、シール材５ａと同じ材料で形成されている。この場合、空間１１ａ内に、耐透湿性が高い材料で形成された接触抑制部３０ａが設けられるため、有機ＥＬ素子４ａへの水分の浸入を遮断する効果を更に向上させることができる。
【００７５】
以上により、本実施形態に係る有機ＥＬ発光装置１ａでは、有機ＥＬ素子４ａへの水分の浸入を遮断する効果を向上させることができ、長期間に亘って安定した発光特性を維持することができる。
【００７６】
尚、有機ＥＬ発光装置１ａの構成は、第一の実施形態には限定されない。例えば、吸湿部１０ａの位置は、第一の実施形態に限られない。第一の実施形態では、吸湿部１０ａが、有機ＥＬ素子４ａと保護層４０ａとを覆うようにして第一基板２ａ側に形成されているが、吸湿部１０ａが第二基板３ａ側に形成されていてもよい。
【００７７】
第一の実施形態において、接触抑制部３０ａが、導電性を有し、この接触抑制部３０ａが、有機ＥＬ素子４ａにおける第二電極１６ａと接触していてもよい。この場合の有機ＥＬ発光装置の例として、第二の実施形態に係る有機ＥＬ発光装置１ｂを、図２に示す。
【００７８】
本実施形態に係る有機ＥＬ発光装置１ｂは、第一基板２ｂと、第一基板２ｂ上に設けられた有機ＥＬ素子４ｂと、第一基板２ｂと有機ＥＬ素子４ｂを介して対向配置された第二基板３ｂと、有機ＥＬ素子４ｂを取り囲むように第一基板２ｂと第二基板３ｂとの間に設けられるシール材５ｂとを備える。更に、有機ＥＬ発光装置１ｂは、第一基板２ｂ、第二基板３ｂ、及びシール材５ｂによって囲まれる空間１１ｂ内に、保護層４０ｂ、吸湿部１０ｂ、透湿部２０ｂ及び接触抑制部３０ｂを、備える。有機ＥＬ素子４ｂは、第一基板２ｂ上に配置される第一電極１５ｂと、この第一電極１５ｂと対向して配置される第二電極１６ｂと、第一電極１５ｂと第二電極１６ｂとの間に介在する有機発光層１７ｂとを備える。保護層４０ｂは、有機ＥＬ素子４ｂを被覆している。吸湿部１０ｂは、空間１１ｂ内における水分を吸収するように構成されている。吸湿部１０ｂは、吸湿性を有する固形吸湿部材６ｂから形成されている。透湿部２０ｂは、吸湿部１０ｂに接触し、空間１１ｂ内における水分を透過させるように構成されている。透湿部２０ｂは、空間１１ｂ内に形成された中空部分８ｂから構成されている。接触抑制部３０ｂは、有機ＥＬ素子４ｂと第二基板３ｂとの接触を抑制するように構成されている。
【００７９】
また、有機ＥＬ素子４ｂと保護層４０ｂとの間に、有機ＥＬ素子４ｂを覆う無機質膜５１ｂが介在している。尚、有機ＥＬ発光装置１ｂが無機質膜５１ｂを備えず、保護層４０ｂが有機ＥＬ素子４ｂを直接被覆していてもよい。
【００８０】
第一基板２ｂ、有機ＥＬ素子４ｂ、第二基板３ｂ、シール材５ｂ、吸湿部１０ｂ、透湿部２０ｂ、保護層４０ｂ、及び無機質膜５１ｂは、それぞれ第一の実施形態における第一基板２ａ、有機ＥＬ素子４ａ、第二基板３ａ、シール材５ａ、吸湿部１０ａ、透湿部２０ａ、保護層４０ａ、及び無機質膜５１ａと、同じ構成を有する。
【００８１】
本実施形態に係る有機ＥＬ発光装置１ｂでは、接触抑制部３０ｂが、導電性を有し、この接触抑制部３０ｂが、有機ＥＬ素子４ｂにおける第二電極１６ｂと接触している。
【００８２】
接触抑制部３０ｂは、有機ＥＬ素子４ｂと第二基板３ｂとの接触を抑制するように構成された部材である。第一の実施形態の場合と同様、有機ＥＬ素子４ｂと第二基板３ｂとが接触するのを抑制することには、有機ＥＬ素子４ｂと第二基板３ｂとが直接接触することを抑制することのほか、有機ＥＬ素子４ｂを覆う層と第二基板３ｂとが接触することを抑制することも、含まれる。すなわち、本実施形態では、接触抑制部３０ｂは、有機ＥＬ素子４ｂを覆う吸湿部１０ｂと第二基板３ｂとの接触を抑制するように構成されている。
【００８３】
本実施形態では、接触抑制部３０ｂは、導電性を有する材料で形成されている。また、接触抑制部３０ｂは、光透過性を有することが好ましい。この場合、有機ＥＬ素子４ｂから発せられる光を減衰させることなく外部に取り出すことができる。接触抑制部３０ｂの材料としては、導電性高分子が挙げられる。
【００８４】
接触抑制部３０ｂが、導電性粒子（例えば銀粉）とバインダーとを含有する導電性ペーストから形成されることも好ましい。この場合、接触抑制部３０ｂの導電性を確保しながら、接触抑制部３０ｂによる有機ＥＬ素子４ｂと第二基板３ｂとの接触を抑制する作用が、効果的に得られる。
【００８５】
接触抑制部３０ｂの形状は、有機ＥＬ素子４ｂと第二基板３ｂとの接触を抑制することができる形状であり、且つ有機ＥＬ素子４ｂに悪影響を及ぼしてその特性を劣化させるような形状でなければ、特に限定はされない。接触抑制部３０ｂの形状は、例えば、円柱形状又は円錐形状である。
【００８６】
また、接触抑制部３０ｂが導電性ペーストから形成される場合、その平面視における幅寸法は、１００μｍ以下であることが好ましい。この場合、外部から接触抑制部３０ｂが視認されにくくなる。また、接触抑制部３０ｂが、有機ＥＬ素子４ｂから発せられる光を減衰させにくくなる。
【００８７】
接触抑制部３０ｂの位置は、特に限定されないが、有機ＥＬ素子４ｂ上であることが好ましい。この場合、外力が加わるなどして第二基板３ｂがたわんでも、有機ＥＬ素子４ｂと第二基板３ｂとが接触するのを抑制することができる。また、接触抑制部３０ｂの数は、特に限定されず、適宜の数を選択することができる。接触抑制部３０ｂを形成する方法としては、公知の方法を使用することができ、例えば、ディスペンス法、印刷法、インクジェット法などが挙げられる。
【００８８】
本実施形態では、接触抑制部３０ｂは、吸湿部１０ｂ、保護層４０ｂ及び無機質膜５１ｂを貫通して、第二電極１６ｂに直接接している。
【００８９】
本実施形態では、導電性を有する接触抑制部３０ｂが第二電極１６ｂと接触することで、接触抑制部３０ｂが給電体として機能することができる。尚、本明細書において、給電体とは、導電性を有し、電極と接触すると共に電極と外部電源との間に介在することで、外部電源から電極への給電を促進させるように構成された部材である。これにより、有機ＥＬ素子４ｂへの給電性能が高くなる。特に、第二電極１６ｂが光透過性を有する電極である場合、第二電極１６ｂの導電性を高く維持することが困難であるが、この場合でも、接触抑制部３０ｂが給電体として機能することで、有機ＥＬ素子４ｂへの高い給電性能が確保できる。本実施形態は、特に第二電極１６ｂ及び第二基板３ｂが光透過性を有し、有機ＥＬ素子４ｂが発する光が第二基板３ｂを通じて外部へ取り出される場合に、特に有効である。この場合、有機ＥＬ素子４ｂへの高い給電性能を確保しながら、有機ＥＬ素子４ｂが発する光を、第二基板３ｂを通じて外部へ取り出すことができる。
【００９０】
本実施形態では、第二基板３ｂの第一基板２ｂに対向する面上に、導電層１８ｂが設けられ、この導電層１８ｂに接触抑制部３０ｂが接触している。すなわち、接触抑制部３０ｂは、第二電極１６ｂと導電層１８ｂに接触し、これにより、接触抑制部３０ｂが、第二電極１６ｂと導電層１８ｂとを電気的に接続している。
【００９１】
導電層１８ｂの材質としては、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＡＺＯ（Ａｌ−ｄｏｐｅ  ＺｎＯ）、ＧＺＯ（Ｇａ−ｄｏｐｅ  ＺｎＯ）、銀、マグネシウム、アルミニウム、グラフェン、カーボンナノチューブ、及びこれらのうち二種以上の物質を含む積層膜が、挙げられる。
【００９２】
第二電極１６ｂ及び第二基板３ｂが光透過性を有する場合、導電層１８ｂも光透過性を有することが好ましい。この場合、有機ＥＬ素子４ｂが発する光を、導電層１８ｂ及び第二基板３ｂを通じて外部へ取り出すことができる。導電層１８ｂが光透過性を有する場合、導電層１８ｂは、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＡＺＯ（Ａｌ−ｄｏｐｅ  ＺｎＯ）、ＧＺＯ（Ｇａ−ｄｏｐｅ  ＺｎＯ）、厚み２０ｎｍ以下の銀、厚み２０ｎｍ以下のマグネシウム、厚み２０ｎｍ以下のアルミニウム、これらのうち二種以上の金属を含む積層膜などから形成されることが好ましい。導電層１８ｂは、スパッタ法、蒸着法、塗布法等の適宜の方法で形成されうる。
【００９３】
導電層１８ｂの形状は、例えばシート状である。また導電層１８ｂの形状は、グリッド状であってもよい。
【００９４】
本実施形態では、導電層１８ｂが有機ＥＬ素子４ｂの第二電極１６ｂと電気的に接続されているため、導電層１８ｂを有機ＥＬ素子４ｂへの給電のために利用することが可能となる。
【００９５】
実施形態において、吸湿部１０ａが、吸湿性を有する固形吸湿部材により形成されていなくてもよい。この場合の有機ＥＬ発光装置の例として、第三の実施形態に係る有機ＥＬ発光装置１ｃを、図３（ａ）に示す。
【００９６】
本実施形態に係る有機ＥＬ発光装置１ｃは、第一基板２ｃと、第一基板２ｃ上に設けられた有機ＥＬ素子４ｃと、第一基板２ｃと有機ＥＬ素子４ｃを介して対向配置された第二基板３ｃと、有機ＥＬ素子４ｃを取り囲むように第一基板２ｃと第二基板３ｃとの間に設けられるシール材５ｃとを備える。更に、有機ＥＬ発光装置１ｃは、第一基板２ｃ、第二基板３ｃ、及びシール材５ｃによって囲まれる空間１１ｃ内に、保護層４０ｃ、吸湿部１０ｃ、透湿部２０ｃ及び接触抑制部３０ｃを、備える。有機ＥＬ素子４ｃは、第一基板２ｃ上に配置される第一電極１５ｃと、この第一電極１５ｃと対向して配置される第二電極１６ｃと、第一電極１５ｃと第二電極１６ｃとの間に介在する有機発光層１７ｃとを備える。保護層４０ｃは、有機ＥＬ素子４ｃを被覆している。吸湿部１０ｃは、空間１１ｃ内における水分を吸収するように構成されている。透湿部２０ｃは、吸湿部１０ｃに接触し、空間１１ｃ内における水分を透過させるように構成されている。透湿部２０ｃは、空間１１ｃ内に形成された中空部分８ｃから構成されている。接触抑制部３０ｃは、有機ＥＬ素子４ｃと第二基板３ｃとの接触を抑制するように構成されている。
【００９７】
また、有機ＥＬ素子４ｃと保護層４０ｃとの間に、有機ＥＬ素子４ｃを覆う無機質膜５１ｃが介在している。尚、有機ＥＬ発光装置１ｃが無機質膜５１ｃを備えず、保護層４０ｃが有機ＥＬ素子４ｃを直接被覆していてもよい。
【００９８】
第一基板２ｃ、有機ＥＬ素子４ｃ、第二基板３ｃ、シール材５ｃ、透湿部２０ｃ、接触抑制部３０ｃ、保護層４０ｃ、及び無機質膜５１ｃは、それぞれ第一の実施形態における第一基板２ａ、有機ＥＬ素子４ａ、第二基板３ａ、シール材５ａ、透湿部２０ａ、接触抑制部３０ａ、保護層４０ａ、及び無機質膜５１ａと、同じ構成を有する。
【００９９】
本実施形態に係る有機ＥＬ発光装置１ｃでは、吸湿部１０ｃが、吸湿性を有する固形吸湿部材により形成されていない。そのこと以外は、有機ＥＬ発光装置１ｃは、第一の実施形態に係る有機ＥＬ発光装置１ｃと同じ構造を有する。
【０１００】
本実施形態では、図３（ａ）に示すように、吸湿部１０ｃが、吸湿性を有する粉末状の部材７ｃ（以下、粉末吸湿部材７ｃという）により形成されている。尚、粉末吸湿部材７ｃとは、水蒸気などの水分が吸着しやすい材料から成る粉末粒子状の部材のことをいう。粉末吸湿部材７ｃは、例えば、酸化カルシウム、酸化ストロンチウム、酸化バリウム、酸化ナトリウム、酸化カリウム、硫酸ナトリウム、硫酸カルシウムなどのアルカリ金属化合物及びアルカリ土類金属化合物、並びにゼオライトから選択される。粉末吸湿部材７ｃには、不活性ガス雰囲気下又は真空中において活性化処理が施されていることが好ましい。これにより、粉末吸湿部材７ｃの水分の吸湿速度を著しく向上させることができる。粉末吸湿部材７ｃによって吸湿部１０ｃを形成する方法としては、例えば、散布法などが挙げられる。すなわち、保護層４０ｃの全外表面を覆うようにして保護層４０ｃに向けて粉末吸湿部材７ｃを直接散布することによって、吸湿部１０ｃを形成することができる。粉末吸湿部材７ｃの量は、空間１１ｃ内に浸入した水分を吸収することができる程度の、適宜の量であればよい。
【０１０１】
尚、本実施形態における透湿部２０ｃは、第一の実施形態の場合と同様に、空間１１ｃ内に形成された中空部分８ｃから構成されている。この中空部分８ｃとは、粉末吸湿部材７ｃが散布されていない部分、及び粉末吸湿部材７ｃどうしの隙間部分のことをいう。
【０１０２】
本実施形態に係る有機ＥＬ発光装置１ｃを製造する場合は、保護層４０ｃの全外表面を覆うように粉末吸湿部材７ｃを散布することで、吸湿部１０ｃを形成する。それ以外は、第一の実施形態における有機ＥＬ発光装置１ｃを製造する場合と同じ方法及び条件を採用して、有機ＥＬ発光装置１ｃを製造することができる。
【０１０３】
本実施形態では、有機ＥＬ発光装置１ｃは、第一基板２ｃ、第二基板３ｃ、及びシール材５ｃによって囲まれる空間１１ｃ内に、吸湿性を有する粉末吸湿部材７ｃにより形成される吸湿部１０ｃを備える。この場合、空間１１ｃ内に水分が浸入しても、吸湿部１０ｃで水分が吸収される。このため、有機ＥＬ素子４ｃへの水分の浸入を遮断する効果を向上させることができる。
【０１０４】
また、有機ＥＬ発光装置１ｃは、空間１１ｃ内に形成された中空部分８ｃから構成される透湿部２０ｃを備える。この場合、空間１１ｃ内に水分が浸入しても、透湿部２０ｃで水分が拡散されて、水分の一方向からの集中的な浸入が抑制される。これにより、水分の吸収を吸湿部１０ｃ全体で一様に行わせることができる。この結果、吸湿部１０ｃで水分が効率良く吸収され、有機ＥＬ素子４ｃへの水分の浸入を遮断する効果を更に向上させることができる。
【０１０５】
また、接触抑制部３０ｃが、シール材５ｃと同じ材料で形成されている。この場合、空間１１ｃ内に、耐透湿性が高い材料で形成された接触抑制部３０ｃが設けられるため、有機ＥＬ素子４ｃへの水分の浸入を遮断する効果を更に向上させることができる。
【０１０６】
以上により、本実施形態に係る有機ＥＬ発光装置１ｃでは、有機ＥＬ素子４ｃへの水分の浸入を遮断する効果を向上させることができ、長期間に亘って安定した発光特性を維持することができる。
【０１０７】
本実施形態において、第二の実施形態の場合と同様に、図３（ｂ）に示すように、接触抑制部３０ｃが、導電性を有し、この接触抑制部３０ｃが、保護層４０ｃ及び無機質膜５１ｃを貫通して有機ＥＬ素子４ｃにおける第二電極１６ｃと接触していてもよい。更に、第二の実施形態の場合と同様に、第二基板３ｃの第一基板２ｃに対向する面上に、導電層１８ｃが設けられ、接触抑制部３０ｃが導電層１８ｃに接触することで、接触抑制部３０ｃが第二電極１６ｃと導電層１８ｃとを電気的に接続していてもよい。
【０１０８】
図４（ａ）に、第四の実施形態に係る有機ＥＬ発光装置１ｄを示す。
【０１０９】
本実施形態に係る有機ＥＬ発光装置１ｄは、第一基板２ｄと、第一基板２ｄ上に設けられた有機ＥＬ素子４ｄと、第一基板２ｄと有機ＥＬ素子４ｄを介して対向配置された第二基板３ｄと、有機ＥＬ素子４ｄを取り囲むように第一基板２ｄと第二基板３ｄとの間に設けられるシール材５ｄとを備える。更に、有機ＥＬ発光装置１ｄは、第一基板２ｄ、第二基板３ｄ、及びシール材５ｄによって囲まれる空間１１ｄ内に、保護層４０ｄ、吸湿部１０ｄ、透湿部２０ｄ及び接触抑制部３０ｄを、備える。有機ＥＬ素子４ｄは、第一基板２ｄ上に配置される第一電極１５ｄと、この第一電極１５ｄと対向して配置される第二電極１６ｄと、第一電極１５ｄと第二電極１６ｄとの間に介在する有機発光層１７ｄとを備える。保護層４０ｄは、有機ＥＬ素子４ｄを被覆している。吸湿部１０ｄは、空間１１ｄ内における水分を吸収するように構成されている。吸湿部１０ｄは、吸湿性を有する固形吸湿部材６ｄにより形成されている。透湿部２０ｄは、吸湿部１０ｄに接触し、空間１１ｄ内における水分を透過させるように構成されている。接触抑制部３０ｄは、有機ＥＬ素子４ｄと第二基板３ｄとの接触を抑制するように構成されている。
【０１１０】
また、有機ＥＬ素子４ｄと保護層４０ｄとの間に、有機ＥＬ素子４ｄを覆う無機質膜５１ｄが介在している。尚、有機ＥＬ発光装置１ｄが無機質膜５１ｄを備えず、保護層４０ｄが有機ＥＬ素子４ｄを直接被覆していてもよい。
【０１１１】
第一基板２ｄ、有機ＥＬ素子４ｄ、第二基板３ｄ、シール材５ｄ、吸湿部１０ｄ、接触抑制部３０ｄ、保護層４０ｄ、及び無機質膜５１ｄは、それぞれ第一の実施形態における第一基板２ａ、有機ＥＬ素子４ａ、第二基板３ａ、シール材５ａ、吸湿部１０ａ、接触抑制部３０ａ、保護層４０ａ、及び無機質膜５１ａと、同じ構成を有する。
【０１１２】
本実施形態に係る有機ＥＬ発光装置１ｄでは、透湿部２０ｄが、空間１１ｄ内に形成された中空部分から構成されていない。そのこと以外は、有機ＥＬ発光装置１ｄは、第一の実施形態に係る有機ＥＬ発光装置１ａと同じ構造を有する。
【０１１３】
本実施形態では、図４（ａ）に示すように、透湿部２０ｄが、透湿性を有する部材９ｄ（以下、透湿部材９ｄという）により形成されている。尚、透湿部材９ｄとは、水蒸気などの水分が透過しやすい材料から成る部材のことをいう。この透湿部材９ｄの材料の、ＪＩＳ  Ｚ０２０８に規定された防湿包装材料の透湿度試験方法（カップ法）で測定される水分の透過率が、１０００ｇ／ｍ２・２４ｈｏｕｒより大きいことが好ましい。透湿部材９ｄの材料は、例えば、ウレタン樹脂、ポリエステル樹脂、及びポリアミド樹脂から選択される。透湿部２０ｄの厚みは、透湿部２０ｄが空間１１ｄ内に浸入した水分を拡散することができる程度の、適宜の厚みであればよい。透湿部材９ｄによって透湿部２０ｄを形成する方法としては、公知の方法を使用することができ、例えば、スピンコート法、ディップ法、スプレー法などで成膜する方法が挙げられる。また、透湿部２０ｄは、ウレタン樹脂、ポリエステル樹脂、ポリアミド樹脂などの高透湿性を有する樹脂材料から成るシート状の成型物から形成されてもよい。
【０１１４】
本実施形態に係る有機ＥＬ発光装置１ｄを製造する場合は、例えば吸湿部１０ｄの全外表面を覆うように透湿部材９ｄを塗布することで、透湿部２０ｄを形成する。それ以外は、第一の実施形態において有機ＥＬ発光装置１ａを製造する場合と同じ方法及び条件を採用して、有機ＥＬ発光装置１ｄを製造することができる。
【０１１５】
本実施形態では、第一基板２ｄ、第二基板３ｄ、及びシール材５ｄによって囲まれる空間１１ｄ内に、吸湿性を有する固形吸湿部材６ｄにより形成される吸湿部１０ｄを備える。この場合、空間１１ｄ内に水分が浸入しても、吸湿部１０ｄで水分が吸収される。このため、有機ＥＬ素子４ｄへの水分の浸入を遮断する効果を向上させることができる。
【０１１６】
また、有機ＥＬ発光装置１ｄは、透湿性を有する透湿部材９ｄにより形成される透湿部２０ｄを備える。この場合、空間１１ｄ内に水分が浸入しても、透湿部２０ｄで水分が拡散されて、水分の一方向からの集中的な浸入が抑制される。これにより、水分の吸収を吸湿部１０ｄ全体で一様に行わせることができる。この結果、吸湿部１０ｄで水分が効率良く吸収され、有機ＥＬ素子４ｄへの水分の浸入を遮断する効果を更に向上させることができる。
【０１１７】
また、本実施形態では、接触抑制部３０ｄが、シール材５ｄと同じ材料で形成されている。この場合、空間１１ｄ内に、耐透湿性が高い材料で形成された接触抑制部３０ｄが設けられるため、有機ＥＬ素子４ｄへの水分の浸入を遮断する効果を更に向上させることができる。
【０１１８】
以上により、本実施形態に係る有機ＥＬ発光装置１ｄでは、有機ＥＬ素子４ｄへの水分の浸入を遮断する効果を向上させることができ、長期間に亘って安定した発光特性を維持することができる。
【０１１９】
本実施形態において、第二の実施形態の場合と同様に、図４（ｂ）に示すように、接触抑制部３０ｄが、導電性を有し、この接触抑制部３０ｄが、吸湿部１０ｄ、保護層４０ｄ及び無機質膜５１ｄを貫通して有機ＥＬ素子４ｄにおける第二電極１６ｄと接触していてもよい。更に、第二の実施形態の場合と同様に、第二基板３ｄの第一基板２ｄに対向する面上に、導電層１８ｄが設けられ、接触抑制部３０ｄが導電層１８ｄに接触することで、接触抑制部３０ｄが第二電極１６ｄと導電層１８ｄとを電気的に接続していてもよい。
【０１２０】
図５（ａ）に、第五の実施形態に係る有機ＥＬ発光装置１ｅを示す。
【０１２１】
本実施形態に係る有機ＥＬ発光装置１ｅは、第一基板２ｅと、第一基板２ｅ上に設けられた有機ＥＬ素子４ｅと、第一基板２ｅと有機ＥＬ素子４ｅを介して対向配置された第二基板３ｅと、有機ＥＬ素子４ｅを取り囲むように第一基板２ｅと第二基板３ｅとの間に設けられるシール材５ｅとを備える。更に、有機ＥＬ発光装置１ｅは、第一基板２ｅ、第二基板３ｅ、及びシール材５ｅによって囲まれる空間１１ｅ内に、保護層４０ｅ、吸湿部１０ｅ、透湿部２０ｅ及び接触抑制部３０ｅを、備える。有機ＥＬ素子４ｅは、第一基板２ｅ上に配置される第一電極１５ｅと、この第一電極１５ｅと対向して配置される第二電極１６ｅと、第一電極１５ｅと第二電極１６ｅとの間に介在する有機発光層１７ｅとを備える。保護層４０ｅは、有機ＥＬ素子４ｅを被覆している。吸湿部１０ｅは、空間１１ｅ内における水分を吸収するように構成されている。吸湿部１０ｅは、吸湿性を有する固形吸湿部材６ｅから形成されている。透湿部２０ｅは、吸湿部１０ｅに接触し、空間１１ｅ内における水分を透過させるように構成されている。接触抑制部３０ｅは、有機ＥＬ素子４ｅと第二基板３ｅとの接触を抑制するように構成されている。
【０１２２】
また、有機ＥＬ素子４ｅと保護層４０ｅとの間に、有機ＥＬ素子４ｅを覆う無機質膜５１ｅが介在している。尚、有機ＥＬ発光装置１ｅが無機質膜５１ｅを備えず、保護層４０ｅが有機ＥＬ素子４ｅを直接被覆していてもよい。
【０１２３】
第一基板２ｅ、有機ＥＬ素子４ｅ、第二基板３ｅ、シール材５ｅ、吸湿部１０ｅ、接触抑制部３０ｅ、保護層４０ｅ、及び無機質膜５１ｃは、それぞれ第一の実施形態における第一基板２ａ、有機ＥＬ素子４ａ、第二基板３ａ、シール材５ａ、吸湿部１０ａ、接触抑制部３０ａ、保護層４０ａ、及び無機質膜５１ａと、同じ構成を有する。
【０１２４】
本実施形態に係る有機ＥＬ発光装置１ｅでは、透湿部２０ｅが、空間１１ｅ内に形成された中空部分から構成されていない。本実施形態では、図５（ａ）に示すように、透湿部２０ｅが、透湿性を有する部材９ｅ（以下、透湿部材９ｅという）により形成されている。尚、透湿部材９ｅとは、水蒸気などの水分が透過しやすい材料から成る部材のことをいう。この透湿部材９ｅの材料の、ＪＩＳ  Ｚ０２０８に規定された防湿包装材料の透湿度試験方法（カップ法）で測定される水分の透過率が、１０００ｇ／ｍ２・２４ｈｏｕｒより大きいことが好ましい。透湿部材９ｅの材料は、例えば、ウレタン樹脂、ポリエステル樹脂、及びポリアミド樹脂から選択される。透湿部２０ｅの厚みは、透湿部２０ｅが空間１１ｅ内に浸入した水分を拡散することができる程度の、適宜の厚みであればよい。透湿部材９ｅによって透湿部２０ｅを形成する方法としては、公知の方法を使用することができ、例えば、スピンコート法、ディップ法、スプレー法などで成膜する方法が挙げられる。また、透湿部２０ｅは、ウレタン樹脂、ポリエステル樹脂、ポリアミド樹脂などの高透湿性を有する樹脂材料から成るシート状の成型物から形成されてもよい。
【０１２５】
本実施形態に係る有機ＥＬ発光装置１ｅでは、吸湿部１０ｅの全外表面が透湿部２０ｅで被覆されている。更に、有機ＥＬ発光装置１ｅは、透湿部２０ｅの全外表面を被覆する無機質膜５０ｅ（第二の無機質膜５０ｅ）を備える。それ以外は、有機ＥＬ発光装置１ｅは、第四の実施形態に係る有機ＥＬ発光装置１ｄと同じ構造を有する。
【０１２６】
第二の無機質膜５０ｅは、耐透湿性が高く、水蒸気などの水分に対して安定な材料から形成されることが好ましい。第二の無機質膜５０ｅの材料は、例えば、窒化珪素、酸化珪素、酸窒化珪素、炭化珪素などの珪素系化合物、酸化アルミニウム、窒化アルミニウム、珪酸アルミニウムなどのアルミニウム系化合物；酸化ジルコニウム；酸化タンタル；酸化チタン；及び窒化チタンからなる群から選択される一種以上の材料を含むことができる。第二の無機質膜５０ｅの厚みは、透湿部２０ｅの全外表面を被覆することができる程度であればよい。第二の無機質膜５０ｅを形成する方法としては、例えば、プラズマＣＶＤ法、スパッタ法、イオンプレーティング法などが挙げられる。
【０１２７】
本実施形態に係る有機ＥＬ発光装置１ｅを製造する場合は、例えばプラズマＣＶＤ法などで透湿部２０ｅの全外表面を覆うように、第二の無機質膜５０ｅを形成する。それ以外は、第四の実施形態における有機ＥＬ発光装置１ｄを製造する場合と同じ方法及び条件を採用して、有機ＥＬ発光装置１ｅを製造することができる。
【０１２８】
本実施形態では、有機ＥＬ発光装置１ｅは、第一基板２ｅ、第二基板３ｅ、及びシール材５ｅによって囲まれる空間１１ｅ内に、吸湿性を有する固形吸湿部材６ｅにより形成される吸湿部１０ｅを備える。この場合、空間１１ｅ内に水分が浸入しても、吸湿部１０ｅで水分が吸収される。このため、有機ＥＬ素子４ｅへの水分の浸入を遮断する効果を向上させることができる。
【０１２９】
また、有機ＥＬ発光装置１ｅは、透湿部材９ｅにより形成される透湿部２０ｅを備える。この場合、空間１１ｅ内に水分が浸入しても、透湿部２０ｅで水分が拡散されて、水分の一方向からの集中的な浸入が抑制される。これにより、水分の吸収を吸湿部１０ｅ全体で一様に行わせることができる。この結果、吸湿部１０ｅで水分が効率良く吸収され、有機ＥＬ素子４ｅへの水分の浸入を遮断する効果を更に向上させることができる。
【０１３０】
また、吸湿部１０ｅの全外表面が透湿部２０ｅで被覆されている。更に有機ＥＬ発光装置１ｅは、透湿部２０ｅの全外表面を被覆する第二の無機質膜５０ｅを備える。この場合、透湿部２０ｅの上に更に第二の無機質膜５０ｅを積層して設けるため、第二の無機質膜５０ｅによって、空間１１ｅ内に水分が浸入しにくくなる。このため、有機ＥＬ素子４ｅへの水分の浸入を遮断する効果を更に向上させることができる。
【０１３１】
また、接触抑制部３０ｅが、シール材５ｅと同じ材料で形成されている。この場合、空間１１ｅ内に、耐透湿性が高い材料で形成された接触抑制部３０ｅが設けられるため、有機ＥＬ素子４ｅへの水分の浸入を遮断する効果を更に向上させることができる。
【０１３２】
以上により、本実施形態に係る有機ＥＬ発光装置１ｅでは、有機ＥＬ素子４ｅへの水分の浸入を遮断する効果を向上させることができ、長期間に亘って安定した発光特性を維持することができる。
【０１３３】
本実施形態において、第二の実施形態の場合と同様に、図５（ｂ）に示すように、接触抑制部３０ｅが、導電性を有し、この接触抑制部３０ｅが、吸湿部１０ｅ、保護層４０ｅ及び無機質膜５１ｅを貫通して有機ＥＬ素子４ｅにおける第二電極１６ｅと接触していてもよい。更に、第二の実施形態の場合と同様に、第二基板３ｅの第一基板２ｅに対向する面上に、導電層１８ｅが設けられ、接触抑制部３０ｅが導電層１８ｅに接触することで、接触抑制部３０ｅが第二電極１６ｅと導電層１８ｅとを電気的に接続していてもよい。
【０１３４】
第六の実施形態に係る有機ＥＬ発光装置１ｆを、図６（ａ）及び図７に示す。
【０１３５】
本実施形態に係る有機ＥＬ発光装置１ｆは、第一基板２ｆと、第一基板２ｆ上に設けられた有機ＥＬ素子４ｆと、第一基板２ｆと有機ＥＬ素子４ｆを介して対向配置された第二基板３ｆと、有機ＥＬ素子４ｆを取り囲むように第一基板２ｆと第二基板３ｆとの間に設けられるシール材５ｆとを備える。更に、有機ＥＬ発光装置１ｆは、第一基板２ｆ、第二基板３ｆ、及びシール材５ｆによって囲まれる空間１１ｆ内に、保護層４０ｆ、吸湿部１０１ｆ、１０２ｆ及び１０３ｆ、透湿部２０ｆ並びに接触抑制部３０ｆを、備える。有機ＥＬ素子４ｆは、第一基板２ｆ上に配置される第一電極１５ｆと、この第一電極１５ｆと対向して配置される第二電極１６ｆと、第一電極１５ｆと第二電極１６ｆとの間に介在する有機発光層１７ｆとを備える。保護層４０ｆは、有機ＥＬ素子４ｆを被覆している。吸湿部１０１ｆ、１０２ｆ及び１０３ｆは、空間１１ｆ内における水分を吸収するように構成されている。透湿部２０ｆは、吸湿部１０１ｆ、１０２ｆ及び１０３ｆに接触し、空間１１ｆ内における水分を透過させるように構成されている。接触抑制部３０ｆは、有機ＥＬ素子４ｆと第二基板３ｆとの接触を抑制するように構成されている。
【０１３６】
本実施形態に係る有機ＥＬ発光装置１ｆについて、更に詳しく説明する。
【０１３７】
この有機ＥＬ発光装置１ｆは、第一基板２ｆ、第二基板３ｆ、有機ＥＬ４ｆ、並びにシール材５ｆを備える。第二基板３ｆは、第一基板２ｆと対向して配置されている。有機ＥＬ素子４ｆは、第一基板２ｆと第二基板３ｆとの間で、第一基板２ｆ上に積層している。シール材５ｆは、第一基板２ｆと第二基板３ｆとの間に介在している。このシール材５ｆは、有機ＥＬ素子４ｆを取り囲んでいる。すなわち、有機ＥＬ素子４ｆは、第一基板２ｆ、第二基板３ｆ及びシール材５ｆで囲まれる空間１１ｆ内に配置されている。
【０１３８】
発光装置１ｆは、更に充填層１３ｆを備える。充填層１３ｆは、第一基板２ｆ、第二基板３ｆ及びシール材５ｆで囲まれる空間１１ｆ内に、配置されている。本実施形態では、充填層１３ｆが、有機ＥＬ素子４ｆを覆っている。尚、「充填層１３ｆが、有機ＥＬ素子４ｆを覆っている」ことには、有機ＥＬ素子４ｆに充填層１３ｆが直接接していることのほか、有機ＥＬ素子４ｆと充填層１３ｆとの間に別の層（例えば後述する保護層４０ｆ）が介在していることも、含まれる。本実施形態では、発光装置１ｆは保護層４０ｆを備える。この充填層１３ｆは、接触抑制部３０ｆと、透湿性を有する透湿部２０ｆとを備える。透湿部２０ｆは、シール材５ｆに臨む露出面１４ｆを有する。透湿部２０ｆは、露出面１４ｆから充填層１３ｆの内部に亘って形成されている。
【０１３９】
尚、「露出面がシール材に臨む」ことには、本実施形態のように露出面１４ｆが本実施形態のようにシール材５ｆに接触することのほか、後述する図８に示すように露出面１４ｆがシール材５ｆに空隙１２ｆを介して対向していること、及び後述する図９に示すように露出面１４ｆがシール材５ｆに空隙１２ｆを介して対向していることも、含まれる。
【０１４０】
本実施形態に係る発光装置１ｆがこのような構成を有するため、シール材５ｆの近傍から発光装置１ｆ内に水分が侵入しても、この水分が、露出面１４ｆを通じて充填層１３ｆの内部へ移動しやすくなる。このため、水分が、充填層１３ｆ内で拡散しやすくなり、発光装置１ｆ内で局所的に溜まりにくくなる。その結果、有機ＥＬ素子４ｆが水分によって劣化されにくくなる。
【０１４１】
有機ＥＬ発光装置１ｆは、第一基板２ｆ、第二基板３ｆ及びシール材５ｆで囲まれる空間１１ｆ内における水分を吸収するように構成された吸湿部を備える。吸湿部が、接触抑制部３０ｆを兼ねる吸湿部１０１ｆと、保護層４０ｆを兼ねる吸湿部１０２ｆと、透湿部２０ｆ内に分散している吸湿部１０３ｆとのうち、少なくとも一つを含むことが好ましい。接触抑制部３０ｆを兼ねる吸湿部１０１ｆを、吸湿部１０１ｆを兼ねる接触抑制部３０ｆということもできる。また、保護層４０ｆを兼ねる吸湿部１０２ｆを、吸湿部１０２ｆを兼ねる保護層４０ｆということもできる。尚、有機ＥＬ発光装置１ｆは、三種の吸湿部１０１ｆ、１０２ｆ、１０３ｆ以外の吸湿部を備えてもよい。
【０１４２】
本実施形態の構成を、更に詳しく説明する。本実施形態に係る発光装置１ｆは、第一基板２ｆ、第二基板３ｆ、有機ＥＬ素子４ｆ、シール材５ｆ、及び充填層１３ｆを備え、更に保護層４０ｆも備える。
【０１４３】
第一基板２ｆは、透光性を有することが好ましい。第一基板２ｆは、無色であっても、着色されていてもよい。第一基板２ｆは、透明であっても半透明であってもよい。第一基板２ｆの材質は、制限的ではないが、例えばソーダライムガラス、無アルカリガラスなどのガラス、並びにポリエステル、ポリオレフィン、ポリアミド樹脂、エポキシ樹脂、フッ素系樹脂などのプラスチックから、選択される。
【０１４４】
有機ＥＬ素子４ｆは、第一基板２ｆ上に設けられる。この場合、有機ＥＬ素子４ｆが第一基板２ｆ上に直接接していてもよく、有機ＥＬ素子４ｆと第一基板２ｆとの間に、別の層が介在していてもよい。
【０１４５】
有機ＥＬ素子４ｆは、例えば第一基板２ｆ上に配置される第一電極１５ｆと、この第一電極１５ｆと対向して配置される第二電極１６ｆと、第一電極１５ｆと第二電極１６ｆとの間に介在する有機発光層１７ｆとを備える。第一電極１５ｆは陽極として機能し、第二電極１６ｆは陰極として機能する。尚、第一電極１５ｆが陰極として機能し、第二電極１６ｆが陽極として機能してもよい。
【０１４６】
第一電極１５ｆは、光透過性を有することが好ましい。この場合、有機発光層１７ｆから発せられる光が、第一電極１５ｆを介して外部へ取り出される。第一電極１５ｆの材料としては、仕事関数の大きい金属、合金、電気伝導性化合物、あるいはこれらの混合物からなる電極材料が挙げられる。このような材料としては、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＡＺＯ（Ａｌ−ｄｏｐｅ  ＺｎＯ）、ＧＺＯ（Ｇａ−ｄｏｐｅ  ＺｎＯ）、銀、マグネシウム、アルミニウム、グラフェン、カーボンナノチューブ、及びこれらのうち二種以上の物質を含む積層膜が、挙げられる。
【０１４７】
第二電極１６ｆは、光反射性を有することが好ましい。この場合、有機発光層１７ｆから第二電極１６ｆへ向かう光が第二電極１６ｆで反射して、第一電極１５ｆを介して外部に取り出される。第二電極１６ｆの材料としては、仕事関数の小さい金属、合金、電気伝導性化合物及びこれらの混合物からなる電極材料が挙げられる。このような材料としては、例えば、ナトリウム、リチウム、マグネシウム、アルミニウムなどが挙げられる。
【０１４８】
尚、第一電極１５ｆが光反射性を有し、第二電極１６ｆが光透過性を有してもよい。また、第一電極１５ｆと第二電極１６ｆのいずれもが光透過性を有してもよい。
【０１４９】
有機発光層１７ｆは、有機エレクトロルミネッセンス素子用の材料として公知の材料から形成されうる。有機発光層１７ｆを形成するための材料の具体例としては、制限的ではないが、アントラセン、ナフタレン、ピレン、テトラセン、コロネン、ペリレン、フタロペリレン、ナフタロペリレン、ジフェニルブタジエン、テトラフェニルブタジエン、クマリン、オキサジアゾール、ビスベンゾキサゾリン、ビススチリル、シクロペンタジエン、キノリン金属錯体、トリス（８−ヒドロキシキノリナート）アルミニウム錯体、トリス（４−メチル−８−キノリナート）アルミニウム錯体、トリス（５−フェニル−８−キノリナート）アルミニウム錯体、アミノキノリン金属錯体、ベンゾキノリン金属錯体、トリ−（ｐ−ターフェニル−４−イル）アミン、１−アリール−２，５−ジ（２−チエニル）ピロール誘導体、ピラン、キナクリドン、ルブレン、ジスチリルベンゼン誘導体、ジスチリルアリーレン誘導体、ジスチリルアミン誘導体、各種の蛍光色素などが、挙げられる。二種以上の材料が組み合わされて用いられてもよい。また、蛍光発光を生じる材料のみならず、燐光発光等のスピン多重項発光を生じる材料、スピン多重項発光を生じる部位を分子内の一部に有する化合物などが用いられてもよい。有機発光層１７ｆは、蒸着法、転写法などの乾式プロセスによって形成されても、塗布法などの湿式プロセスによって形成されてもよい。
【０１５０】
第一電極１５ｆと第二電極１６ｆとの間には、更にホール注入層、ホール輸送層、電子輸送層及び電子注入層から選択される一種以上の層が介在していてもよい。これらの層は、公知の有機ＥＬ素子に適用されている適宜の材料から、公知の方法により形成されうる。
【０１５１】
第二基板３ｆは、第一基板２ｆと有機ＥＬ素子４ｆを介して対向配置される。第二基板３ｆは、例えば、第一基板２ｆと同形状に形成された部材から成る。第二基板３ｆの材料としては、例えば、ソーダライムガラス、無アルカリガラス等のガラス材、アルミニウム、ステンレス等の金属材、ポリエチレンテレフタラート（ＰＥＴ）、ポリエチレンナフタレート（ＰＥＮ）等の樹脂材料などが挙げられる。第二基板３ｆが樹脂材料で形成される場合、第二基板３ｆの表面上にＳｉＯＮ膜又はＳｉＮ膜が形成されることで、第二基板３ｆでの水分の透過が抑制されてもよい。
【０１５２】
シール材５ｆは、有機ＥＬ素子４ｆを取り囲むように第一基板２ｆと第二基板３ｆとの間に設けられる。このシール材５ｆによって、発光装置１ｆ内への水分の侵入が、抑制される。シール材５ｆは、水分の透過率６０ｇ／ｍ2・２４ｈｏｕｒ以下の材料から形成されることが好ましい。尚、水分の透過率は、ＪＩＳ  Ｚ０２０８に規定される防湿包装材料の透湿度試験方法（カップ法）によって測定される。シール材５ｆの材料の具体例としては、エポキシ樹脂、アクリル樹脂などの樹脂材料、並びにパラフィンワックス、マイクロクリスタリンワックスなどのワックス材料が、挙げられる。シール材５ｆは、アルミナなどの無機フィラー、酸化カルシウム、酸化ストロンチウム、酸化バリウム、シリカなどの吸湿剤等の、適宜の添加剤を含有してもよい。シール材５ｆの材料として、ガラスフリットなどのフリット材が用いられてもよい。シール材５ｆは、ディスペンス法、印刷法、インクジェット法等の、適宜の方法により形成されうる。
【０１５３】
保護層４０ｆは、図７に示すように、有機ＥＬ素子４ｆを覆っている。これにより、有機ＥＬ素子４ｆと充填層１３ｆとの間に、保護層４０ｆが介在している。このため、保護層４０ｆによって、有機ＥＬ素子４ｆへの水分の侵入が、更に抑制される。保護層４０ｆは、有機ＥＬ素子４ｆに悪影響を及ぼしにくい材料から形成されることが好ましい。例えば保護層４０ｆは、エポキシ樹脂、アクリル樹脂等の樹脂材料から形成されることが好ましい。
【０１５４】
保護層４０ｆが、吸湿剤を含有することも好ましい。この場合、保護層４０ｆが、吸湿部１０２ｆを兼ねることができる。すなわち、有機ＥＬ発光装置１ｆが、保護層４０ｆを兼ねる吸湿部１０２ｆを備えることができる。この場合、充填層１３ｆの透湿部２０ｆ内で拡散した水分が、保護層４０ｆで吸収されることで、有機ＥＬ素子４ｆへの水分の侵入が、更に抑制される。吸湿剤は、例えば水分を化学的に吸着する物質、並びに水分を物理的に吸着する物質から、選択される。より具体的には、吸湿剤は、例えば酸化カルシウム、酸化ストロンチウム、酸化バリウム、酸化ナトリウム、酸化カリウム、硫酸ナトリウム、硫酸カルシウムなどのアルカリ金属及びアルカリ土類金属並びにゼオライトから選択される、一種以上の材料を含有することができる。保護層４０ｆにおける吸湿剤の割合は、１０〜３０質量％であることが好ましい。
【０１５５】
保護層４０ｆの厚みは、有機ＥＬ素子４ｆの平面視におけるその中心側から外縁側へ向かうほど、大きくなることが、好ましい。尚、平面視とは、発光装置１ｆを、第一基板２ｆ、有機ＥＬ素子４ｆ、及び第二基板３ｆが積層する方向に視ることをいう。この場合、有機ＥＬ素子４ｆの外縁部において、水分が保護層４０ｆによって効果的に吸収される。これにより、水分の浸入の起点となるシール材５ｆの近傍で、水分が効果的に吸収されることになり、このため、有機ＥＬ素子４ｆへの水分の侵入が、更に抑制される。保護層４０ｆは、公知の方法、例えば、スピンコート法、ディップ法、及びスプレー法から選択される方法により、形成されうる。
【０１５６】
本実施形態では、有機ＥＬ素子４ｆと保護層４０ｆとの間に、有機ＥＬ素子４ｆを覆う無機質膜５１ｆが介在している。このため、有機ＥＬ素子４ｆへの水分の浸入が更に鈍化され、封止性能が向上する。
【０１５７】
無機質膜５１ｆは、耐透湿性が高く、水蒸気などの水分に対して安定な材料から形成されることが好ましい。無機質膜５１ｆの材料は、例えば、窒化珪素、酸化珪素、酸窒化珪素、炭化珪素などの珪素系化合物、酸化アルミニウム、窒化アルミニウム、珪酸アルミニウムなどのアルミニウム系化合物；酸化ジルコニウム；酸化タンタル；酸化チタン；及び窒化チタンからなる群から選択される一種以上の材料を含むことができる。無機質膜５１ｆの厚みは、有機ＥＬ素子４ｆの全外表面を被覆することができる程度であればよい。無機質膜５１ｆを形成する方法としては、例えば、プラズマＣＶＤ法、スパッタ法、イオンプレーティング法などが挙げられる。
【０１５８】
尚、有機ＥＬ発光装置１ｆが無機質膜５１ｆを備えず、保護層４０ｆが有機ＥＬ素子４ｆを直接被覆していてもよい。
【０１５９】
充填層１３ｆは、本実施形態では、第一基板２ｆ、第二基板３ｆ、及びシール材５ｆによって囲まれる空間１１ｆ内における、有機ＥＬ素子４ｆ、無機質膜５１ｆ及び保護層４０ｆで占められていない部分に、配置されている。
【０１６０】
充填層１３ｆにおける接触抑制部３０ｆは、有機ＥＬ素子４ｆと第二基板３ｆとの間に介在することで、有機ＥＬ素子４ｆと第二基板３ｆとの接触を抑制するように構成されている。接触抑制部３０ｆは、適宜の成形材料から形成されうる。成形材料は、例えば、エポキシ系樹脂、アクリル系樹脂、シリコーン系樹脂などの、樹脂材料を含有する。
【０１６１】
成形材料が、吸湿剤を含有することが好ましい。すなわち、接触抑制部３０ｆが、吸湿剤を含有することが好ましい。この場合、接触抑制部３０ｆが、吸湿部１０１ｆを兼ねることができる。すなわち、有機ＥＬ発光装置１ｆが、接触抑制部３０ｆを兼ねる吸湿部１０１ｆを備えることができる。この場合、透湿部２０ｆ内で拡散した水分が、接触抑制部３０ｆで吸収されることで、有機ＥＬ素子４ｆへの水分の侵入が、更に抑制される。吸湿剤は、例えば水分を化学的に吸着する物質、並びに水分を物理的に吸着する物質から、選ばれる。より具体的には、吸湿剤は、例えば酸化カルシウム、酸化ストロンチウム、酸化バリウム、酸化ナトリウム、酸化カリウム、硫酸ナトリウム、硫酸カルシウムなどのアルカリ金属及びアルカリ土類金属並びにゼオライトから選択される、一種以上を含有することができる。接触抑制部３０ｆにおける吸湿剤の割合は、１０〜３０質量％であることが好ましい。
【０１６２】
充填層１３ｆにおける透湿部２０ｆは、例えば、充填層１３ｆに形成された空隙（中空部分）から成る。この場合、空隙は水分を効果的に透過させることができるため、水分が、充填層１３ｆ内で、より拡散しやすくなる。
【０１６３】
透湿部２０ｆは、透湿性を有する部材（以下、透湿部材という）から形成されてもよい。この場合も、透湿部２０ｆが、水分を効果的に透過させることができるため、水分が、充填層１３ｆ内で、より拡散しやすくなる。尚、透湿部材は、水分を透過させやすい性質を有する部材である。特に、透湿部材の透湿度が、１０００ｇ／ｍ2・２４ｈｏｕｒより大きいことが好ましい。尚、透湿度は、ＪＩＳ  Ｚ０２０８に規定される防湿包装材料の透湿度試験方法（カップ法）によって測定される。透湿部材は、例えばウレタン樹脂、ポリエステル樹脂、ポリアミド樹脂などの、高透湿性の樹脂を含有する成形材料から、形成される。
【０１６４】
透湿部材から形成される透湿部２０ｆが、吸湿剤を含有してもよい。すなわち、透湿部材を形成するための成形材料が、吸湿剤を含有してもよい。この場合、充填層１３ｆの透湿部２０ｆ内で拡散した水分が、透湿部材内で吸湿材に吸収されることで、有機ＥＬ素子４ｆへの水分の浸入が、更に抑制される。吸湿剤は、例えば水分を化学的に吸着する物質、並びに水分を物理的に吸着する物質から、選択される。より具体的には、吸湿剤は、例えば酸化カルシウム、酸化ストロンチウム、酸化バリウム、酸化ナトリウム、酸化カリウム、硫酸ナトリウム、硫酸カルシウムなどのアルカリ金属及びアルカリ土類金属並びにゼオライトから選択される、一種以上を含有することができる。透湿部２０ｆにおける吸湿剤の割合は、１０〜３０質量％であることが好ましい。
【０１６５】
上述の通り、透湿部２０ｆは、シール材５ｆに臨む露出面１４ｆを有し、且つ透湿部２０ｆが、露出面１４ｆから充填層６ｅの内部に亘って形成されている。更に、透湿部２０ｆは、複数の露出面１４ｆを有することが、好ましい。すなわち、透湿部２０ｆが、一つの露出面１４ｆから、充填層１３ｆの内部を通じて、別の露出面１４ｆに至るように形成されていることが、好ましい。この場合、充填層１３ｆ内で水分が更に拡散しやすくなる。このため、有機ＥＬ素子４ｆの劣化が、更に抑制される。
【０１６６】
また、充填層１３ｆが、平面視において、透湿部２０ｆを海、接触抑制部３０ｆを島とする、海島構造を有することも、好ましい。この場合、透湿部２０ｆ中で水分がより拡散しやすくなり、このため、有機ＥＬ素子４ｆの劣化が、更に抑制される。
【０１６７】
充填層１３ｆにおける、接触抑制部３０ｆと透湿部２０ｆと割合は、制限されないが、特に前者対後者の体積比が、１０：１〜２：１の範囲であることが、好ましい。
【０１６８】
本実施形態では、図７に示すように、平面視において、平面視円形状の複数の接触抑制部３０ｆが、間隔をあけてマトリクス状に配置されている。接触抑制部３０ｆ間の、接触抑制部３０ｆが形成されていない領域に、透湿部２０ｆが形成されている。このため透湿部２０ｆは格子状に形成されている。これにより、充填層１３ｆは、透湿部２０ｆを海、接触抑制部３０ｆを島とする、海島構造を有している。この充填層１３ｆは、シール材５ｆと接している。これにより、一つの透湿部２０ｆが、複数の露出面１４ｆを有し、これらの露出面１４ｆが、シール材５ｆに接している。
【０１６９】
本実施形態における、充填層１３ｆの変形例を、図８〜図１０に示す。図８に示す変形例では、平面視円形状の複数の接触抑制部３０ｆが、間隔をあけてマトリクス状に並んで形成されており、接触抑制部３０ｆが形成されていない領域に、透湿部２０ｆが形成されている。本変形例でも、一つの透湿部２０ｆが、複数の露出面１４ｆを有し、且つ充填層１３ｆが海島構造を有している。このため、有機ＥＬ素子４ｆの劣化が、更に抑制される。本変形例では、充填層１３ｆとシール材５ｆとの間に空隙１２ｆが形成されている。このため、露出面１４ｆは、空隙１２ｆを介してシール材５ｆと対向している。
【０１７０】
図９に示す変形例では、平面視長円形状の複数の接触抑制部３０ｆが、間隔をあけてこれらの短軸方向に並んで形成されており、接触抑制部３０ｆが形成されていない領域に、透湿部２０ｆが形成されている。本変形例では、複数の透湿部２０ｆの各々が、複数（二個）の露出面１４ｆを有する。このため、有機ＥＬ素子４ｆの劣化が、更に抑制される。本変形例でも、充填層１３ｆとシール材５ｆとの間に空隙１２ｅが形成されている。このため、露出面１４ｆは、空隙１２ｆを介してシール材５ｆと対向している。
【０１７１】
尚、図８に示す変形例では、充填層１３ｆは複数の露出面１４ｆを有する透湿部２０ｆを一つ備え、図９に示す変形例では、充填層１３ｆは二つの露出面１４ｆを有する透湿部２０ｆを複数備えるが、充填層８ｆが、一つの露出面１４ｆを有する一つ又は複数の透湿部２０ｆを備えてもよい。例えば、図９に示される変形例において、充填層１３ｆにおける各透湿部２０ｆが途中で塞がっていることで、充填層８ｆが、一つの露出面１４ｆを有する複数の透湿部２０ｆを備えてもよい。
【０１７２】
図１０に示す変形例では、平面視円形状の複数の接触抑制部３０ｆが、マトリクス状に並んで形成されている。接触抑制部３０ｆは、間隔をあけて配置されているが、一部では、隣合う接触抑制部３０ｆ間に隙間がなく、これらの接触抑制部３０ｆが一体化している。本変形例でも、透湿部２０ｆが、複数の露出面１４ｆを有し、且つ充填層１３ｆが海島構造を有している。このため、有機ＥＬ素子４ｆの劣化が、更に抑制される。
【０１７３】
尚、本実施形態並びに図１０に示す変形例では充填層１３ｆとシール材５ｆとの間に空隙が存在せず、図８及び図９に示す変形例では充填層１３ｆとシール材５ｆとの間の全体に亘って空隙１２ｆが形成されているが、充填層１３ｆとシール材５ｅとの間に部分的に空隙が形成されていてもよい。
【０１７４】
吸湿部１０３ｆが、図１１に示すように、透湿部２０ｆ内に分散して配置されていてもよい。この場合、透湿部２０ｆ内で、水分が吸湿部１０３ｆによって吸収されることで、有機ＥＬ素子４ｆの劣化が、更に抑制される。吸湿部１０３ｆは、第一基板２ｆと第二基板３ｆとの間の間隔を維持するスペーサとしても機能することができる。このため、有機ＥＬ発光装置１ｆの変形が抑制される。特に、透湿部２０ｆが空隙から成る場合であっても、吸湿部１０３ｆによって透湿部２０ｅが確保されることで、有機ＥＬ発光装置１ｆの変形が抑制される。
【０１７５】
吸湿部１０３ｆは、図１１に示すように、特に、透湿部２０ｆの厚み寸法と同じ寸法の粒径を有する、吸湿性の粒子であることが好ましい。この場合、吸湿部１０３ｆの表面積が大きくなることで、吸湿部１０３ｆによる水分の吸収効率が向上し、これにより、有機ＥＬ素子４ｆの劣化が、更に抑制される。吸湿性の粒子の材質は、酸化カルシウム、酸化ストロンチウム、酸化バリウム、酸化ナトリウム、酸化カリウム、硫酸ナトリウム、硫酸カルシウムなどのアルカリ金属及びアルカリ土類金属並びにゼオライトから選択される、一種以上であることが好ましい。
【０１７６】
充填層１３ｆは、適宜の手法により形成されうる。例えば、接触抑制部３０ｆは、ディスペンス法、印刷法、スパッタ法等の公知の方法で、形成されうる。また、透湿部２０ｆが透湿部材から成る場合には、透湿部材は、ディスペンス法、印刷法、スパッタ法等の公知の方法で、形成されうる。
【０１７７】
充填層１３ｆは、次の方法によっても、形成されうる。まず、第一基板２ｆ上に有機ＥＬ素子４ｆ及びシール材５ｆが配置され、更に必要に応じて保護層４０ｆが形成される。続いて、第一基板２ｆにおける、シール材５ｆの内側に、接触抑制部３０ｆを形成するための成形材料が、複数個所に配置される。続いて、第二基板３ｆが、第一基板２ｆの上方から、この第一基板２ｆに近づけられる。すると、第一基板２ｆと第二基板３ｆとの間で、接触抑制部３０ｆを形成するための成形材料が押し広げられて、成形されることで、複数の接触抑制部３０ｆが形成される。更に接触抑制部３０ｆ間の空隙によって、透湿部２０ｆが形成される。これにより充填層１３ｆが、形成される。
【０１７８】
充填層１３ｆは、次の方法によって、形成されてもよい。まず、第一基板２ｆ上に有機ＥＬ素子４ｆ及びシール材５ｆが配置され、更に必要に応じて保護層４０ｆが形成される。続いて、第一基板２ｆにおける、シール材５ｆの内側に、接触抑制部３０ｆを形成するための成形材料が、複数個所に配置される。更に、第一基板２ｆにおける、シール材５ｆの内側に、透湿部材を形成するための成形材料も、複数個所に配置される。続いて、第二基板３ｆが、第一基板２ｆの上方から、この第一基板２ｆに近づけられる。すると、第一基板２ｆと第二基板３ｆとの間で、接触抑制部３０ｆを形成するための成形材料が押し広げられて、成形されることで、複数の接触抑制部３０ｆが形成される。透湿部材を形成するための成形材料も押広げられて、成形されることで、接触抑制部３０ｆ間に、透湿部２０ｆが形成される。以上のようにして、接触抑制部３０ｆ及び透湿部２０ｆが形成される。
【０１７９】
本実施形態において、第二の実施形態の場合と同様に、図６（ｂ）に示すように、接触抑制部３０ｆが、導電性を有し、この接触抑制部３０ｆが、保護層４０ｆ及び無機質膜５１ｆを貫通して有機ＥＬ素子４ｆにおける第二電極１６ｆと接触していてもよい。更に、第二の実施形態の場合と同様に、第二基板３ｅの第一基板２ｅに対向する面上に、導電層１８ｅが設けられ、接触抑制部３０ｆが導電層１８ｅに接触することで、接触抑制部３０ｆが第二電極１６ｆと導電層１８ｆとを電気的に接続していてもよい。この場合、更に図１０に示すように、複数の接触抑制部３０ｆが、間隔をあけて配置され、且つ一部の隣合う接触抑制部３０ｆ同士が一体化していることが好ましい。この場合、第二電極１６ｆと接触抑制部３０ｆとの接触面積が大きくなることで、接触抑制部３０ｆの給電体としての作用が向上し、このため、有機Ｅｌ素子４ｆへの給電性能が特に高くなる。
【０１８０】
第一から第六の実施形態に係る有機ＥＬ発光装置１ａ〜１ｆは、いずれも照明器具の光源として好適である。
【０１８１】
図１２に、有機ＥＬ発光装置１を備える照明器具５０の例を示す。この照明器具５０は、有機ＥＬ発光装置１と、この有機ＥＬ発光装置１を保持する器具本体３１とを備える。器具本体３１は、筐体３４と、前面パネル３２と、配線３３と、給電端子３６とを、備える。
【０１８２】
有機ＥＬ発光装置１は、第一基板２、第二基板３及びシール材５を備える。有機ＥＬ発光装置１内には、第一基板２、第二基板３及びシール材５で囲まれる空間に、有機ＥＬ素子が配置されている。有機ＥＬ発光装置１は、例えば第一の実施形態に係る発光装置１ａと同じ構造を有する。尚、発光装置１が、第二から第六の実施形態に係る発光装置１ｂ〜１ｆのうちいずれかと同じ構造を有してもよい。
【０１８３】
有機ＥＬ発光装置１における第一基板２上には、第一配線４２及び第二配線４３が形成されている。第一配線４２及び第二配線４３は、給電用の配線であり、有機ＥＬ発光装置内の有機ＥＬ素子に電気的に接続されている。
【０１８４】
筐体３４は、有機ＥＬ発光装置１を保持するように構成されている。筐体３４は凹所４１を有し、この凹所４１内に有機ＥＬ発光装置１が保持される。凹所４１の開口は、透光性を有する前面パネル３２で閉塞されている。
【０１８５】
筐体３４の凹所４１内には、正面側ケース３７及び背面側ケース３８が配置されている。この正面側ケース３７と背面側ケース３８との間に、有機ＥＬ発光装置１が保持されている。正面側ケース３７は第一基板と前面パネル３２との間に介在している。また、正面側ケース３７は、発光装置１の第一基板２に面する開口３５を備えている。
【０１８６】
また、二つの配線３３が、筐体３４の外部から内部に亘って設けられている。これらの配線３３は、外部の電源に接続される。また、二つの給電端子３６が、正面側ケース３７と背面側ケース３８との間に挟まれて固定されている。二つの配線３３が、二つの給電端子３６にそれぞれ接続され、二つの給電端子３６が、第一配線４２及び第二配線４３にそれぞれ接続されている。これにより、外部の電源から、配線３３及び給電端子３６を介して、有機ＥＬ発光装置１内の有機ＥＬ発光素子に給電され得る。
【０１８７】
このように構成される照明器具５０では、外部の電源から配線３３及び給電端子３６を介して有機ＥＬ発光装置１内の有機ＥＬ発光素子に給電されると、有機ＥＬ発光素子が光を発し、この光が、第一基板２、開口３５及び前面パネル３２を介して外部へ出射する。
【実施例】
【０１８８】
以下、本発明の具体的な実施例を提示する。尚、本発明は以下の実施例に制限されるものではない。【０１８９】
＜実施例１＞
本実施例では、図１に示す構造の有機ＥＬ発光装置を作製した。すなわち、固形吸湿部材により吸湿部を形成した。また、空間内に形成された中空部分８から構成される透湿部を設けた。【０１９０】
本実施例では、まず、厚み０．４ｍｍのガラス基板の上に、シート抵抗７Ω／ｓｑ．の透明電極からなる陽極を形成した、ＩＴＯガラス（旭硝子社製）を第一基板として用意した。この第一基板をアセトン、純水、イソプロピルアルコールで１５分間超音波洗浄し、乾燥させた後、更にＵＶオゾン洗浄した。次に、この第一基板を真空蒸着装置にセットし、１×１０-6Ｔｏｒｒ（１．３３×１０-4Ｐａ）の減圧下で、４，４’−ビス［Ｎ−（ナフチル）−Ｎ−フェニル−アミノ］ビフェニル（イーレイオプトエレクトロニクステクノロジー社製；α−ＮＰＤ）を、１×１０-10〜２×１０-10ｍ／ｓの蒸着速度で０．０４μｍ厚に蒸着し、陽極の上に正孔輸送層を形成した。次に、トリス（８−ヒドロキシキノリナート）アルミニウム錯体（イーレイオプトエレクトロニクステクノロジー社製；Ａｌｑ３）を、１×１０-10〜２×１０-10ｍ／ｓの蒸着速度で０．０４μｍ厚に蒸着し、正孔輸送層の上に有機発光層と電子輸送層を兼用する層を形成した。この後、まずＬｉＦを０．５×１０-10〜１．０×１０-10ｍ／ｓの蒸着速度で５×１０-4μｍ厚に蒸着した。そして、Ａｌを１０×１０-10ｍ／ｓの蒸着速度で０．１５μｍ厚に蒸着することによって、有機発光層と電子輸送層を兼用する層の上に陰極を形成し、第一基板上に有機ＥＬ素子を設けた。【０１９１】
そして、この有機ＥＬ素子を設けた第一基板を、露点−７０℃の窒素循環型グローブボックスに移し、このグローブボックス内で以下の作業を実施した。まず、第一基板上に設けられた有機ＥＬ素子と第二基板とを対向するように配置した。次に、有機ＥＬ素子の全外表面を覆うように、ＵＶ硬化性エポキシ樹脂封止剤（パナソニック社製）を塗布し、ＵＶ照射して光硬化させ、保護層を５μｍの厚みで形成した。そして、ＵＶ硬化性エポキシ樹脂封止剤（パナソニック社製）に酸化カルシウム（高純度化学研究所社製）を含有させて、酸化カルシウムの割合が３０質量％となるように調製した、固形吸湿部材を保護層の全外表面を覆うように塗布し、ＵＶ照射して光硬化させ、吸湿部を形成した。更に、エポキシ系樹脂（ナガセケムテックス社製）をドット形式で塗布して、高さ１００μｍ以下の接触抑制部を形成した。そして、有機ＥＬ素子と接触しないように、第一基板の外周部にエポキシ系樹脂（ナガセケムテックス社製）をディスペンス法で塗布して、高さ１００μｍのシール材を配置した。この状態で、第一基板と第二基板とを、接触抑制部が第二基板に突き当たるまで近づけた。更に、接触抑制部を第二基板に接合した。そして、約１００００Ｐａの圧力条件で、第一基板と第二基板とをシール材で合着して、図１に示す構造の有機ＥＬ発光装置を作製した。【０１９２】
そしてこの有機ＥＬ発光装置を５０℃、９５％ＲＨの恒温恒湿槽に１０００時間放置した後、有機ＥＬ発光装置の発光状態を顕微鏡観察した結果、直径５０μｍ以上のダークスポットの新たな発生及び成長はみなれなかった。【０１９３】
＜実施例２＞
本実施例では、図３に示す構造の有機ＥＬ発光装置を作製した。すなわち、粉末吸湿部材により吸湿部を形成した。また、空間内に形成された中空部分（粉末吸湿部材が散布されていない部分、及び粉末吸湿部材どうしの隙間部分）から構成される透湿部を設けた。【０１９４】
本実施例では、実施例１において、保護層の全外表面を覆うように粉末吸湿部材として、真空中にて活性化処理された、粒子径１〜３μｍの酸化カルシウムを散布し、吸湿部を形成した。【０１９５】
それ以外は、実施例１と同じ方法及び条件を採用して、有機ＥＬ発光装置を得た。【０１９６】
そしてこの有機ＥＬ発光装置について実施例１と同じく、５０℃、９５％ＲＨの恒温恒湿槽に１０００時間放置した後、有機ＥＬ発光装置の発光状態を顕微鏡観察した結果、直径５０μｍ以上のダークスポットの新たな発生及び成長はみられなかった。【０１９７】
＜実施例３＞
本実施例では、図１に示す構造の有機ＥＬ発光装置を作製した。すなわち、固形吸湿部材により吸湿部を形成した。また、空間内に形成された中空部分から構成される透湿部を設けた。【０１９８】
本実施例では、実施例１と同じ方法及び条件を採用して、第一基板上に有機ＥＬ素子を設けた。【０１９９】
そして、この有機ＥＬ素子を設けた第一基板を、アルゴンガス雰囲気下の環境に移し、以下の作業を実施した。まず、第一基板上に設けられた有機ＥＬ素子と第二基板とを対向するように配置した。次に、有機ＥＬ素子の全外表面を覆うように、ＵＶ硬化性エポキシ樹脂封止剤（パナソニック社製）を塗布し、ＵＶ照射して光硬化させ、保護層を５μｍの厚みで形成した。そして、ＵＶ硬化性エポキシ樹脂封止剤（パナソニック社製）に酸化カルシウム（高純度化学研究所社製）を含有させて、酸化カルシウムの割合が３０質量％となるように調製した、固形吸湿部材を保護層の全外表面を覆うように塗布し、ＵＶ照射して光硬化させ、吸湿部を形成した。更に、エポキシ系樹脂（ナガセケムテックス社製）をドット形式で塗布して、高さ１００μｍ以下の接触抑制部を形成した。そして、有機ＥＬ素子と接触しないように、第一基板の外周部にエポキシ系樹脂（ナガセケムテックス社製）をディスペンス法で塗布して、高さ２００μｍのシール材を配置した。この状態で、第一基板と第二基板とを、接触抑制部が第二基板に突き当たるまで近づけた。更に、接触抑制部を第二基板に接合した。そして、約１００００Ｐａの圧力条件で、第一基板２ａと第二基板とをシール材で合着して、図１に示す構造の有機ＥＬ発光装置を作製した。【０２００】
そしてこの有機ＥＬ発光装置について実施例１と同じく、５０℃、９５％ＲＨの恒温恒湿槽に１０００時間放置した後、有機ＥＬ発光装置の発光状態を顕微鏡観察した結果、直径５０μｍ以上のダークスポットの新たな発生及び成長はみられなかった。【０２０１】
＜実施例４＞
本実施例では、図４に示す構造の有機ＥＬ発光装置を作製した。すなわち、固形吸湿部材により吸湿部を形成した。また、透湿性を有する透湿部材により透湿部を形成した。【０２０２】
本実施例では、実施例１において、吸湿部の全外表面を覆うように透湿部材として、水分の透過率が１５００ｇ／ｍ2・２４ｈｏｕｒのＵＶ硬化性ポリウレタン樹脂（パナソニック社製）を塗布し、透湿部を形成した。【０２０３】
それ以外は、実施例１と同じ方法及び条件を採用して、有機ＥＬ発光装置を得た。【０２０４】
そしてこの有機ＥＬ発光装置について実施例１と同じく、５０℃、９５％ＲＨの恒温恒湿槽に１０００時間放置した後、有機ＥＬ発光装置の発光状態を顕微鏡観察した結果、直径５０μｍ以上のダークスポットの新たな発生及び成長はみられなかった。【０２０５】
＜実施例５＞
本実施例では、図５に示す構造の有機ＥＬ発光装置を作製した。すなわち、固形吸湿部材により吸湿部を形成した。また、透湿性を有する透湿部材９により透湿部を形成した。更に、透湿部の全外表面を被覆する無機質膜を設けた。【０２０６】
本実施例では、実施例４において、透湿部の上にプラズマＣＶＤ法でシラン及び窒素を原料ガスとして窒化珪素膜を成膜し、透湿部の全外表面を覆うように厚み３．０μｍの無機質膜を形成した。【０２０７】
それ以外は、実施例４と同じ方法及び条件を採用して、有機ＥＬ発光装置１ａを得た。【０２０８】
そしてこの有機ＥＬ発光装置について実施例４と同じく、５０℃、９５％ＲＨの恒温恒湿槽に１０００時間放置した後、有機ＥＬ発光装置の発光状態を顕微鏡観察した結果、初期に既に発生していたダークスポット以外のものが新たに発生したり、成長するという傾向はみられなかった。【０２０９】
＜比較例１＞
実施例１と同じ方法及び条件を採用して、第一基板上に有機ＥＬ素子を設けた。【０２１０】
そして、第一基板上に設けられた有機ＥＬ素子と第二基板とを対向するように配置した。そして、有機ＥＬ素子の全外表面を覆うように、ＵＶ硬化性エポキシ樹脂封止剤（パナソニック社製）を塗布し、ＵＶ照射して光硬化させ、保護層を５μｍの厚みで形成した。更に、ＵＶ硬化性エポキシ樹脂封止剤（パナソニック社製）を保護層の全外表面を覆うように塗布し、このエポキシ樹脂封止剤の上から第二基板を密着させた。そして、第二基板の上方からＵＶ照射して、エポキシ樹脂封止剤を光硬化させ、有機ＥＬ発光装置を作製した。【０２１１】
そしてこの有機ＥＬ発光装置について実施例１と同じく、５０℃、９５％ＲＨの恒温恒湿槽に１０００時間放置した後、有機ＥＬ発光装置の発光状態を顕微鏡観察した結果、直径５０μｍ以上のダークスポットの新たな発生及び成長が多数みられた。
【図１】
2014091767.tif 000003
【図２】
2014091767.tif 000004
【図３】
2014091767.tif 000005
【図４】
2014091767.tif 000006
【図５】
2014091767.tif 000007
【図６】
2014091767.tif 000008
【図７】
2014091767.tif 000009
【図８】
2014091767.tif 000010
【図９】
2014091767.tif 000011
【図１０】
2014091767.tif 000012
【図１１】
2014091767.tif 000013
【図１２】
2014091767.tif 000014
【図１３】
2014091767.tif 000015
【手続補正書】
【提出日】平成26年4月22日(2014.4.22)
【手続補正１】
【補正対象書類名】特許請求の範囲
【補正対象項目名】全文
【補正方法】変更
【補正の内容】
【特許請求の範囲】
【請求項１】
第一基板と、
前記第一基板上に設けられた有機ＥＬ素子と、
前記第一基板と前記有機ＥＬ素子を介して対向配置された第二基板と、
前記有機ＥＬ素子を取り囲むように前記第一基板と前記第二基板との間に設けられるシール材とを備え、
前記第一基板、前記第二基板、及び前記シール材によって囲まれる空間内に、
前記有機ＥＬ素子を被覆する保護層と、
前記保護層を被覆し、前記空間内における水分を吸収するように構成された吸湿部と、
前記有機ＥＬ素子と前記第二基板との接触を抑制するように構成された接触抑制部と、
前記吸湿部及び接触抑制部に接触し、前記空間内における水分を透過させるように構成された透湿部と、
を備えることを特徴とする有機ＥＬ発光装置。
【請求項２】
前記空間内に配置されている充填層を備え、
前記充填層が、前記接触抑制部と、前記透湿部とを備え、
前記透湿部が、前記シール材に臨む露出面を有し、且つ前記透湿部が、前記露出面から前記充填層の内部に亘って形成されていることを特徴とする請求項１に記載の有機ＥＬ発光装置。
【請求項３】
前記透湿部が、前記露出面を複数有することを特徴とする請求項２に記載の有機ＥＬ発光装置。
【請求項４】
前記透湿部が、前記充填層に形成された空隙から成ることを特徴とする請求項２又は３に記載の有機ＥＬ発光装置。
【請求項５】
前記透湿部が、透湿性を有する部材から形成されていることを特徴とする請求項２又は３に記載の有機ＥＬ発光装置。
【請求項６】
前記透湿部内に、前記吸湿部が配置されていることを特徴とする請求項２乃至５のいずれか一項に記載の有機ＥＬ発光装置。
【請求項７】
前記接触抑制部が、吸湿材を含有し、前記接触抑制部が、前記吸湿部を兼ねることを特徴とする請求項２乃至６のいずれか一項に記載の有機ＥＬ発光装置。
【請求項８】
前記充填層が、平面視において、前記透湿部を海、前記接触抑制部を島とする、海島構造を有することを特徴とする請求項２乃至７のいずれか一項に記載の有機ＥＬ発光装置。
【請求項９】
前記保護層の厚みが、前記有機ＥＬ素子の平面視における中心側から外縁側へ向かうほど大きくなることを特徴とする請求項１乃至８のいずれか一項に記載の有機ＥＬ発光装置。
【請求項１０】
前記保護層が、吸湿材を含有し、前記保護層が、前記吸湿部を兼ねることを特徴とする請求項１乃至９のいずれか一項に記載の有機ＥＬ発光装置。
【請求項１１】
前記吸湿部が、吸湿性を有する粉末により形成されていることを特徴とする請求項１に記載の有機ＥＬ発光装置。
【請求項１２】
前記吸湿部が、吸湿性を有する固形状の部材により形成されていることを特徴とする請求項１に記載の有機ＥＬ発光装置。
【請求項１３】
前記透湿部が、前記空間内に形成された中空部分から構成されていることを特徴とする請求項１、１１又は１２に記載の有機ＥＬ発光装置。
【請求項１４】
前記透湿部が、透湿性を有する部材により形成されていることを特徴とする請求項１、１１、１２又は１３に記載の有機ＥＬ発光装置。
【請求項１５】
前記吸湿部が前記透湿部で被覆され、前記透湿部を被覆する無機質膜を更に備えることを特徴とする請求項１４に記載の有機ＥＬ発光装置。
【請求項１６】
前記接触抑制部は、前記シール材と同じ材料で形成されていることを特徴とする請求項１乃至１５のいずれか一項に記載の有機ＥＬ発光装置。
【請求項１７】
前記有機ＥＬ素子が、前記第二基板と対向する電極を備え、
前記接触抑制部が、導電性を有し、前記接触抑制部が、前記電極と接触している請求項１乃至１６のいずれか一項に記載の有機ＥＬ発光装置。
【請求項１８】
前記第二基板の前記第一基板に対向する面上に、導電層が設けられ、
前記接触抑制部が前記導電層に接触することで、前記接触抑制部が前記電極と前記導電層とを電気的に接続していることを特徴とする請求項１７に記載の有機ＥＬ発光装置。
【請求項１９】
請求項１乃至１８のいずれか一項に記載の有機ＥＬ発光装置と、この有機ＥＬ発光装置を保持する器具本体とを備えることを特徴とする照明器具。
【手続補正書】
【提出日】平成27年5月19日(2015.5.19)
【手続補正１】
【補正対象書類名】明細書
【補正対象項目名】００３０
【補正方法】変更
【補正の内容】
【００３０】
本実施形態に係る有機ＥＬ発光装置１ａは、第一基板２ａ、有機エレクトロルミネッセンス素子４ａ（有機発光ダイオード；以下、有機ＥＬ素子４ａという）、第二基板３ａ、及びシール材５ａを備える。有機ＥＬ素子４ａは、第一基板２ａ上に設けられている。第二基板３ａは、第一基板２ａと有機ＥＬ素子４ａを介して対向配置されている。シール材５ａは、有機ＥＬ素子４ａを取り囲むように第一基板２ａと第二基板３ａとの間に設けられている。更に、有機ＥＬ発光装置１ａは、第一基板２ａ、第二基板３ａ、及びシール材５ａによって囲まれる空間１１ａ内に、保護層４０ａと、吸湿部１０ａと、透湿部２０ａと、接触抑制部３０ａとを備える。保護層４０ａは、有機ＥＬ素子４ａの全外表面を被覆する。吸湿部１０ａは、空間１１ａ内における水分を吸収するように構成されている。透湿部２０ａは、吸湿部１０ａに接触し、空間１１ａ内における水蒸気を透過させるように構成されている。接触抑制部３０ａは、有機ＥＬ素子４ａと第二基板３ａとの接触を抑制するように構成されている。尚、空間１１ａとは、第一基板２ａ、第二基板３ａ、及びシール材５ａによって囲まれる立体的な領域であり、この空間１１ａの一部又は全部が、種々の部材及び気体で占められていてもよい。
【手続補正２】
【補正対象書類名】明細書
【補正対象項目名】００９９
【補正方法】変更
【補正の内容】
【００９９】
本実施形態に係る有機ＥＬ発光装置１ｃでは、吸湿部１０ｃが、吸湿性を有する固形吸湿部材により形成されていない。そのこと以外は、有機ＥＬ発光装置１ｃは、第一の実施形態に係る有機ＥＬ発光装置１ａと同じ構造を有する。
【手続補正３】
【補正対象書類名】明細書
【補正対象項目名】０１０２
【補正方法】変更
【補正の内容】
【０１０２】
本実施形態に係る有機ＥＬ発光装置１ｃを製造する場合は、保護層４０ｃの全外表面を覆うように粉末吸湿部材７ｃを散布することで、吸湿部１０ｃを形成する。それ以外は、第一の実施形態における有機ＥＬ発光装置１ａを製造する場合と同じ方法及び条件を採用して、有機ＥＬ発光装置１ｃを製造することができる。
【手続補正４】
【補正対象書類名】明細書
【補正対象項目名】０１２３
【補正方法】変更
【補正の内容】
【０１２３】
第一基板２ｅ、有機ＥＬ素子４ｅ、第二基板３ｅ、シール材５ｅ、吸湿部１０ｅ、接触抑制部３０ｅ、保護層４０ｅ、及び無機質膜５１ｅは、それぞれ第一の実施形態における第一基板２ａ、有機ＥＬ素子４ａ、第二基板３ａ、シール材５ａ、吸湿部１０ａ、接触抑制部３０ａ、保護層４０ａ、及び無機質膜５１ａと、同じ構成を有する。
【手続補正５】
【補正対象書類名】明細書
【補正対象項目名】０１６５
【補正方法】変更
【補正の内容】
【０１６５】
上述の通り、透湿部２０ｆは、シール材５ｆに臨む露出面１４ｆを有し、且つ透湿部２０ｆが、露出面１４ｆから充填層１３ｆの内部に亘って形成されている。更に、透湿部２０ｆは、複数の露出面１４ｆを有することが、好ましい。すなわち、透湿部２０ｆが、一つの露出面１４ｆから、充填層１３ｆの内部を通じて、別の露出面１４ｆに至るように形成されていることが、好ましい。この場合、充填層１３ｆ内で水分が更に拡散しやすくなる。このため、有機ＥＬ素子４ｆの劣化が、更に抑制される。
【手続補正６】
【補正対象書類名】明細書
【補正対象項目名】０１７０
【補正方法】変更
【補正の内容】
【０１７０】
図９に示す変形例では、平面視長円形状の複数の接触抑制部３０ｆが、間隔をあけてこれらの短軸方向に並んで形成されており、接触抑制部３０ｆが形成されていない領域に、透湿部２０ｆが形成されている。本変形例では、複数の透湿部２０ｆの各々が、複数（二個）の露出面１４ｆを有する。このため、有機ＥＬ素子４ｆの劣化が、更に抑制される。本変形例でも、充填層１３ｆとシール材５ｆとの間に空隙１２ｆが形成されている。このため、露出面１４ｆは、空隙１２ｆを介してシール材５ｆと対向している。
【手続補正７】
【補正対象書類名】明細書
【補正対象項目名】０１７１
【補正方法】変更
【補正の内容】
【０１７１】
尚、図８に示す変形例では、充填層１３ｆは複数の露出面１４ｆを有する透湿部２０ｆを一つ備え、図９に示す変形例では、充填層１３ｆは二つの露出面１４ｆを有する透湿部２０ｆを複数備えるが、充填層１３ｆが、一つの露出面１４ｆを有する一つ又は複数の透湿部２０ｆを備えてもよい。例えば、図９に示される変形例において、充填層１３ｆにおける各透湿部２０ｆが途中で塞がっていることで、充填層１３ｆが、一つの露出面１４ｆを有する複数の透湿部２０ｆを備えてもよい。
【手続補正８】
【補正対象書類名】明細書
【補正対象項目名】０１７３
【補正方法】変更
【補正の内容】
【０１７３】
尚、本実施形態並びに図１０に示す変形例では充填層１３ｆとシール材５ｆとの間に空隙が存在せず、図８及び図９に示す変形例では充填層１３ｆとシール材５ｆとの間の全体に亘って空隙１２ｆが形成されているが、充填層１３ｆとシール材５ｆとの間に部分的に空隙が形成されていてもよい。
【手続補正９】
【補正対象書類名】明細書
【補正対象項目名】０１９９
【補正方法】変更
【補正の内容】
【０１９９】
そして、この有機ＥＬ素子を設けた第一基板を、アルゴンガス雰囲気下の環境に移し、以下の作業を実施した。まず、第一基板上に設けられた有機ＥＬ素子と第二基板とを対向するように配置した。次に、有機ＥＬ素子の全外表面を覆うように、ＵＶ硬化性エポキシ樹脂封止剤（パナソニック社製）を塗布し、ＵＶ照射して光硬化させ、保護層を５μｍの厚みで形成した。そして、ＵＶ硬化性エポキシ樹脂封止剤（パナソニック社製）に酸化カルシウム（高純度化学研究所社製）を含有させて、酸化カルシウムの割合が３０質量％となるように調製した、固形吸湿部材を保護層の全外表面を覆うように塗布し、ＵＶ照射して光硬化させ、吸湿部を形成した。更に、エポキシ系樹脂（ナガセケムテックス社製）をドット形式で塗布して、高さ１００μｍ以下の接触抑制部を形成した。そして、有機ＥＬ素子と接触しないように、第一基板の外周部にエポキシ系樹脂（ナガセケムテックス社製）をディスペンス法で塗布して、高さ２００μｍのシール材を配置した。この状態で、第一基板と第二基板とを、接触抑制部が第二基板に突き当たるまで近づけた。更に、接触抑制部を第二基板に接合した。そして、約１００００Ｐａの圧力条件で、第一基板と第二基板とをシール材で合着して、図１に示す構造の有機ＥＬ発光装置を作製した。
【手続補正１０】
【補正対象書類名】明細書
【補正対象項目名】０２０５
【補正方法】変更
【補正の内容】
【０２０５】
＜実施例５＞
本実施例では、図５に示す構造の有機ＥＬ発光装置を作製した。すなわち、固形吸湿部材により吸湿部を形成した。また、透湿性を有する透湿部材により透湿部を形成した。更に、透湿部の全外表面を被覆する無機質膜を設けた。
【国際調査報告】
2014091767.tif 000016
2014091767.tif 000017
2014091767.tif 000018
2014091767.tif 000019